(57)【要約】【課題】何らかの不具合によって不能化されたキャリアアグリゲーションを再構成する場合であっても、不用なリソースの消費を回避するとともに、それに要する時間を短縮する通信システム、通信方法、基地局、および、移動局を提供する。【解決手段】通信システムは、各々が周波数の異なる互いに独立した複数の無線信号を送受信可能な１つ以上の基地局と、複数の無線信号のうちの１つの主たる無線信号と１つ以上の副たる無線信号とを利用して通信可能な移動局とを含む。移動局および基地局の各々は、移動局が利用する副たる無線信号に関する設定情報を保持するための記憶手段を含む。移動局および移動局との間で主たる無線信号を送受信する第１の基地局の各々は、当該主たる無線信号を利用した通信が切断された後であっても、設定情報を保持する。【選択図】図７
2013051549.tif 000002
【特許請求の範囲】
【請求項１】
通信システムであって、
各々が周波数の異なる互いに独立した複数の無線信号を送受信可能な１つ以上の基地局と、
前記複数の無線信号のうちの１つの主たる無線信号と１つ以上の副たる無線信号とを利用して通信可能な移動局とを備え、
前記移動局および前記基地局の各々は、前記移動局が利用する副たる無線信号に関する設定情報を保持するための記憶手段を含み、
前記移動局および前記移動局との間で主たる無線信号を送受信する第１の基地局の各々は、当該主たる無線信号を利用した通信が切断された後であっても、前記設定情報を保持する、通信システム。
【請求項２】
前記移動局および前記第１の基地局の各々は、主たる無線信号を利用した通信が再開された後、保持している設定情報を利用して、複数の無線信号を利用した通信を行なう、請求項１に記載の通信システム。
【請求項３】
再開された通信において利用される主たる無線信号が、切断前に前記第１の基地局との間で送受信されていた主たる無線信号と同じである場合に、前記移動局および前記第１の基地局の各々は、保持している設定情報をそのまま利用して、複数の無線信号を利用した通信を行なう、請求項２に記載の通信システム。
【請求項４】
再開された通信において利用される主たる無線信号が、切断前に前記第１の基地局との間で送受信されていた副たる無線信号である場合に、前記移動局および前記第１の基地局の各々は、保持している設定情報に含まれる情報のうち、再開された通信における主たる無線信号に対応する情報を切断前における主たる無線信号に対応する情報に置換することで新たな設定情報を生成する、請求項２に記載の通信システム。
【請求項５】
再開された通信において利用される主たる無線信号が、切断前に前記第１の基地局とは異なる第２の基地局との間で送受信されていた副たる無線信号である場合に、前記移動局および前記第２の基地局の各々は、保持している設定情報に含まれる情報のうち、再開された通信における主たる無線信号に対応する情報を切断前における主たる無線信号に対応する情報に置換することで新たな設定情報を生成する、請求項２に記載の通信システム。
【請求項６】
前記第２の基地局は、切断前における主たる無線信号に対応する情報および前記設定情報を前記第１の基地局から取得する、請求項５に記載の通信システム。
【請求項７】
再開された通信において利用される主たる無線信号が、切断前に前記第１の基地局との間で送受信されていた主たる無線信号および副たる無線信号のいずれでもない、前記第１の基地局が送受信する他の無線信号である場合に、前記移動局および前記第１の基地局の各々は、保持している設定情報に、切断前における主たる無線信号に対応する情報を追加することで新たな設定情報を生成する、請求項２に記載の通信システム。
【請求項８】
再開された通信において利用される主たる無線信号が、切断前に前記第１の基地局との間で送受信されていた主たる無線信号および副たる無線信号のいずれでもない、前記第１の基地局とは異なる第２の基地局が送受信する他の無線信号である場合に、前記移動局および前記第２の基地局の各々は、保持している設定情報に、切断前における主たる無線信号に対応する情報を追加することで新たな設定情報を生成する、請求項２に記載の通信システム。
【請求項９】
前記第２の基地局は、切断前における主たる無線信号に対応する情報および前記設定情報を前記第１の基地局から取得する、請求項８に記載の通信システム。
【請求項１０】
各々が周波数の異なる互いに独立した複数の無線信号を送受信可能な１つ以上の基地局と、前記複数の無線信号のうちの１つの主たる無線信号と１つ以上の副たる無線信号とを利用して通信可能な移動局との間の通信方法であって、
前記移動局および前記基地局の各々が、前記移動局が利用する副たる無線信号に関する設定情報を保持するステップと、
前記移動局および前記移動局との間で主たる無線信号を送受信する第１の基地局の各々が、当該主たる無線信号を利用した通信が切断された後であっても、前記設定情報を保持するステップとを含む、通信方法。
【請求項１１】
移動局との間で通信を行なう基地局であって、
各々が周波数の異なる互いに独立した複数の無線信号を送受信するための送受信手段を備え、前記移動局は、前記複数の無線信号のうちの１つの主たる無線信号と１つ以上の副たる無線信号とを利用して通信可能であり、
前記移動局が利用する副たる無線信号に関する設定情報を保持するための記憶手段を備え、
前記移動局との間で主たる無線信号を送受信している場合に、当該主たる無線信号を利用した通信が切断された後であっても、前記設定情報を保持する、基地局。
【請求項１２】
各々が周波数の異なる互いに独立した複数の無線信号を送受信可能な１つ以上の基地局との間で通信可能な移動局であって、
前記複数の無線信号のうちの１つの主たる無線信号と１つ以上の副たる無線信号とを利用して通信するための通信手段と、
前記移動局が利用する副たる無線信号に関する設定情報を保持するための記憶手段とを含み、
前記移動局との間で主たる無線信号を送受信している場合に、当該主たる無線信号を利用した通信が切断された後であっても、前記設定情報を保持する、移動局。
【発明の詳細な説明】
【技術分野】
【０００１】
本発明は、周波数の異なる互いに独立した複数の無線信号を送受信可能な通信システム、通信方法、基地局、および、移動局に関するものである。
【背景技術】
【０００２】
現在、３ＧＰＰ（Third Generation Partnership Project）は、次世代通信方式である、ＬＴＥ（Long Term Evolution：（第３世代の）長期進化）について仕様化を進めている。さらに、ＬＴＥを発展させた規格であるＬＴＥ−Ａ（LTE-Advanced）についても仕様化の検討が行われている。
【０００３】
ＬＴＥ−Ａでは、ＬＴＥに比較してより高速かつ大容量の通信を実現することが要求されている。そのため、ＬＴＥ−Ａは、ＬＴＥに比較してより広帯域な周波数範囲をサポートすることとされている。現在までの検討によれば、ＬＴＥの最大送信帯域幅が２０ＭＨｚであるのに対して、ＬＴＥの最大送信帯域幅を１００ＭＨｚまで拡張されることとされている。
【０００４】
しかしながら、世界各国の電波利用状況を鑑みると、連続した広帯域の周波数範囲をＬＴＥ−Ａ用として確保することは容易ではない。また、ＬＴＥとのバックワード・コンパチビリィティ（後方互換性）を可能な限り維持する必要もある。そこで、キャリアアグリゲーション（Carrier Aggregation；ＣＡ）という無線通信技術の導入が検討されている。このキャリアアグリゲーションでは、ＬＴＥの最大送信帯域幅である２０ＭＨｚに相当するキャリアを複数まとめて利用することで、最大送信帯域幅を１００ＭＨｚまで拡張する。このような２０ＭＨｚまでのキャリアは、コンポーネントキャリア（Component Career；ＣＣ）と称される。
【０００５】
このようなキャリアアグリゲーションを用いることで、基地局と移動局（端末：User Equipment）との間で高速かつ大容量の通信を実現する。なお、このキャリアアグリゲーションについては、３ＧＰＰ  ＲＡＮ１＃５３ｂ会合にて合意された（非特許文献１の"5.5 Carrier Aggregation"など参照）。現在、キャリアアグリゲーションに関して、シグナリング、チャネル配置、マッピングなどの詳細仕様について検討が進められている。
【０００６】
キャリアアグリゲーションを利用した通信で使用されるコンポーネントキャリアは、通信開始時や再設定時に、基地局によって端末固有（UE specific）で割当てられる。
【０００７】
キャリアアグリゲーションを利用した通信において、移動局と通信を行なうサービングセルとしては、１つのＰＣｅｌｌ（Primary Serving Cell）と、１つ以上のＳＣｅｌｌ（Secondary Serving Cell）との組合せからなる。ＰＣｅｌｌに対応するコンポーネントキャリアはＰＣＣ（Primary Component Carrier）と称され、ＳＣｅｌｌに対応するコンポーネントキャリアはＳＣＣ（Secondary Component Carrier）と称される（非特許文献１の"7.5 Carrier Aggregation"など参照）。
【０００８】
ＳＣＣは、状態値として、「ｃｏｎｆｉｇｕｒｅ状態」と「非ｃｏｎｆｉｇｕｒｅ状態」とを含む。さらに、ｃｏｎｆｉｇｕｒｅ状態は、「ａｃｔｉｖａｔｅ」と「ｄｅａｃｔｉｖａｔｅ」とを含む。
【０００９】
キャリアアグリゲーションが有効化されていない場合には、ＰＣｅｌｌ以外のすべてのセルは、非ｃｏｎｆｉｇｕｒｅ状態となっている。これに対して、キャリアアグリゲーションを有効化する場合には、ＳＣｅｌｌを追加することになるが、この追加当初のＳＣＣは、ｄｅａｃｔｉｖａｔｅなｃｏｎｆｉｇｕｒｅ状態となっている。
【００１０】
ｄｅａｃｔｉｖａｔｅなＳＣＣにおいては、すぐに通信を開始できるように、ＣＱＩ（Channel Quality Indicator）などの無線品質が測定されるが、個別チャネルでの通信自体は行なわれない。基地局は、ｄｅａｃｔｉｖａｔｅなＳＣｅｌｌにおける無線品質についての移動局からの報告に基づいて、当該ＳＣｅｌｌの無線品質が良好になったと判断すると、当該ＳＣｅｌｌをａｃｔｉｖａｔｅに変更する。すると、ＳＣｅｌｌにおける移動局での通信が開始される。
【先行技術文献】
【非特許文献】
【００１１】
【非特許文献１】3GPP Organizational Partners, "3rd Generation Partnership Project; Technical Specification Group Radio Access Network; Evolved Universal Terrestrial Radio Access (E-UTRA) and Evolved Universal Terrestrial Radio Access Network (E-UTRAN); Overall description; Stage 2 (Release 10)", 3GPP TS 36.300 V10.3.0 (2011-03), Annex J (informative): Carrier Aggregation
【非特許文献２】3GPP Organizational Partners, "3rd Generation Partnership Project; Technical Specification Group Radio Access Network; Evolved Universal Terrestrial Radio Access (E-UTRA); Radio Resource Control (RRC); Protocol specification (Release 10)", 3GPP TS 36.331 V10.1.0 (2011-03), 5.3.7.2 Initiation & 5.3.10.3a SCell release
【発明の概要】
【発明が解決しようとする課題】
【００１２】
非特許文献１および２には、ＬＴＥ−Ａにおいてキャリアアグリゲーションの実施中に、無線リンク障害（Radio Link Failure：以下「ＲＬＦ」とも称す）が発生した場合には、ＲＲＣ＿Ｃｏｎｎｅｃｔｉｏｎ＿Ｒｅｅｓｔａｂｌｉｓｈｍｅｎｔ手続きが開始されることが仕様として記載されている。このとき、ＳＣｅｌｌをｃｏｎｆｉｇｕｒｅ状態にするための情報であるＳＣｅｌｌ＿Ｃｏｎｆｉｇｕｒａｔｉｏｎをリリースすることが規定されている。
【００１３】
一方で、ＲＲＣ＿Ｃｏｎｎｅｃｔｉｏｎ＿Ｒｅｅｓｔａｂｌｉｓｈｍｅｎｔ手続きによって再接続が成功した場合には、キャリアアグリゲーションを再開するために、ＳＣｅｌｌのＣｏｎｆｉｇｕｒａｔｉｏｎ手続きを再度実行する必要がある。そのため、基地局から移動局に情報を送信する必要があり、リソースおよび時間を要してしまう。
【００１４】
そこで、本発明は、かかる問題を解決するためになされたものであり、その目的は、何らかの不具合によって不能化されたキャリアアグリゲーションを再構成する場合であっても、不用なリソースの消費を回避するとともに、それに要する時間を短縮する通信システム、通信方法、基地局、および、移動局を提供することである。
【課題を解決するための手段】
【００１５】
本発明のある局面に従う通信システムは、各々が周波数の異なる互いに独立した複数の無線信号を送受信可能な１つ以上の基地局と、複数の無線信号のうちの１つの主たる無線信号と１つ以上の副たる無線信号とを利用して通信可能な移動局とを含む。移動局および基地局の各々は、移動局が利用する副たる無線信号に関する設定情報を保持するための記憶手段を含む。移動局および移動局との間で主たる無線信号を送受信する第１の基地局の各々は、当該主たる無線信号を利用した通信が切断された後であっても、設定情報を保持する。
【００１６】
好ましくは、移動局および第１の基地局の各々は、主たる無線信号を利用した通信が再開された後、保持している設定情報を利用して、複数の無線信号を利用した通信を行なう。
【００１７】
さらに好ましくは、再開された通信において利用される主たる無線信号が、切断前に第１の基地局との間で送受信されていた主たる無線信号と同じである場合に、移動局および第１の基地局の各々は、保持している設定情報をそのまま利用して、複数の無線信号を利用した通信を行なう。
【００１８】
あるいはさらに好ましくは、再開された通信において利用される主たる無線信号が、切断前に第１の基地局との間で送受信されていた副たる無線信号である場合に、移動局および第１の基地局の各々は、保持している設定情報に含まれる情報のうち、再開された通信における主たる無線信号に対応する情報を切断前における主たる無線信号に対応する情報に置換することで新たな設定情報を生成する。
【００１９】
あるいはさらに好ましくは、再開された通信において利用される主たる無線信号が、切断前に第１の基地局とは異なる第２の基地局との間で送受信されていた副たる無線信号である場合に、移動局および第２の基地局の各々は、保持している設定情報に含まれる情報のうち、再開された通信における主たる無線信号に対応する情報を切断前における主たる無線信号に対応する情報に置換することで新たな設定情報を生成する。
【００２０】
さらに好ましくは、第２の基地局は、切断前における主たる無線信号に対応する情報および設定情報を第１の基地局から取得する。
【００２１】
あるいはさらに好ましくは、再開された通信において利用される主たる無線信号が、切断前に第１の基地局との間で送受信されていた主たる無線信号および副たる無線信号のいずれでもない、第１の基地局が送受信する他の無線信号である場合に、移動局および第１の基地局の各々は、保持している設定情報に、切断前における主たる無線信号に対応する情報を追加することで新たな設定情報を生成する。
【００２２】
あるいはさらに好ましくは、再開された通信において利用される主たる無線信号が、切断前に第１の基地局との間で送受信されていた主たる無線信号および副たる無線信号のいずれでもない、第１の基地局とは異なる第２の基地局が送受信する他の無線信号である場合に、移動局および第２の基地局の各々は、保持している設定情報に、切断前における主たる無線信号に対応する情報を追加することで新たな設定情報を生成する。
【００２３】
さらに好ましくは、第２の基地局は、切断前における主たる無線信号に対応する情報および設定情報を第１の基地局から取得する。
【００２４】
本発明の別の局面に従えば、各々が周波数の異なる互いに独立した複数の無線信号を送受信可能な１つ以上の基地局と、複数の無線信号のうちの１つの主たる無線信号と１つ以上の副たる無線信号とを利用して通信可能な移動局との間の通信方法を提供する。通信方法は、移動局および基地局の各々が、移動局が利用する副たる無線信号に関する設定情報を保持するステップと、移動局および移動局との間で主たる無線信号を送受信する第１の基地局の各々が、当該主たる無線信号を利用した通信が切断された後であっても、設定情報を保持するステップとを含む。
【００２５】
本発明のさらに別の局面に従えば、移動局との間で通信を行なう基地局を提供する。基地局は、各々が周波数の異なる互いに独立した複数の無線信号を送受信するための送受信手段を含む。移動局は、複数の無線信号のうちの１つの主たる無線信号と１つ以上の副たる無線信号とを利用して通信可能である。基地局は、さらに、移動局が利用する副たる無線信号に関する設定情報を保持するための記憶手段を含む。基地局は、移動局との間で主たる無線信号を送受信している場合に、当該主たる無線信号を利用した通信が切断された後であっても、設定情報を保持する。
【００２６】
本発明のさらに別の局面に従えば、各々が周波数の異なる互いに独立した複数の無線信号を送受信可能な１つ以上の基地局との間で通信可能な移動局を提供する。移動局は、複数の無線信号のうちの１つの主たる無線信号と１つ以上の副たる無線信号とを利用して通信するための通信手段と、移動局が利用する副たる無線信号に関する設定情報を保持するための記憶手段とを含む。移動局は、移動局との間で主たる無線信号を送受信している場合に、当該主たる無線信号を利用した通信が切断された後であっても、設定情報を保持する。
【発明の効果】
【００２７】
本発明によれば、何らかの不具合によって不能化されたキャリアアグリゲーションを再構成する場合であっても、不用なリソースの消費を回避するとともに、それに要する時間を短縮できる。
【図面の簡単な説明】
【００２８】
【図１】本発明の実施の形態において想定されている通信システムの構成を示す模式図である。
【図２】図１に示す通信システムにおいて提供されるセルの一例を示す模式図である。
【図３】本発明の実施の形態に従う基地局（ｅＮＢ）の概略構成を示すブロック図である。
【図４】本発明の実施の形態に従う移動局（ＵＥ）の概略構成を示すブロック図である。
【図５】キャリアアグリゲーションのＳＣＣについての状態を示す遷移図である。
【図６】現行の仕様に従うキャリアアグリゲーションによる通信中に無線リンク障害（ＲＬＦ）が発生した場合の手続きを示すシーケンス図である。
【図７】実施の形態１に従うキャリアアグリゲーションによる通信中に無線リンク障害（ＲＬＦ）が発生した場合の手続きを示すシーケンス図である。
【図８】実施の形態２に従うキャリアアグリゲーションによる通信中に無線リンク障害（ＲＬＦ）が発生した場合の手続きを示すシーケンス図である。
【図９】実施の形態２に従うＳＣｅｌｌ＿Ｃｏｎｆｉｇｕｒａｔｉｏｎの置換処理を説明するための図である。
【図１０】実施の形態３に従うキャリアアグリゲーションによる通信中に無線リンク障害（ＲＬＦ）が発生した場合の手続きを示すシーケンス図である。
【図１１】実施の形態４に従うキャリアアグリゲーションによる通信中に無線リンク障害（ＲＬＦ）が発生した場合の手続きを示すシーケンス図である。
【図１２】実施の形態４に従うＳＣｅｌｌ＿Ｃｏｎｆｉｇｕｒａｔｉｏｎにおける新たなＳＣｅｌｌの情報の追加処理／更新処理を説明するための図である。
【図１３】実施の形態５に従うキャリアアグリゲーションによる通信中に無線リンク障害（ＲＬＦ）が発生した場合の手続きを示すシーケンス図である。
【発明を実施するための形態】
【００２９】
本発明の実施の形態について、図面を参照しながら詳細に説明する。なお、本発明はこれら実施の形態に何ら限定されるものではなく、その趣旨を逸脱しない範囲において、種々なる態様で実施可能である。また、図中の同一または相当部分については、同一符号を付してその説明は繰返さない。
【００３０】
＜１．システム構成＞
まず、本発明の実施の形態が適用される通信システムの典型例について説明する。
【００３１】
図１は、本発明の実施の形態において想定されている通信システム１の構成を示す模式図である。典型的な一例として、通信システム１は、ＬＴＥ方式またはＬＴＥ−Ａ方式に従う通信方式をサポートしているとする。
【００３２】
図１を参照して、通信システム１は、複数の基地局（evolved Node B：以下「ｅＮＢ」とも称す。）１００−１〜１００−３と、移動局（User Equipment：以下「ＵＥ」とも称す。）２００と、移動管理機能（Mobility Management Entity：以下「ＭＭＥ」とも称す。）３００と、コアネットワーク４００とを含む。なお、図１には、例示的に、ｅＮＢから構成される通信システム１を示すが、ｅＮＢに代えて、あるいは、ｅＮＢに加えて、小型の発展型基地局（Home evolved Node B：以下「ＨｅＮＢ」とも称す。）を含むような構成であってもよい。
【００３３】
ｅＮＢ１００−１〜１００−３（以下「ｅＮＢ１００」とも総称する。）の各々は、周波数の異なる互いに独立した複数の無線信号を送受信可能となっている。すなわち、ｅＮＢ１００は、キャリアアグリゲーションをサポートしているとし、後述するように、コンポーネントキャリアに対応するセルを複数提供する。このような複数のセルの提供は、周波数や送信エリアなどの物理的に多重化する方法、論理的に多重化する方法、および両方法を組み合わせた方法などによって実現される。
【００３４】
具体的な実装として、本実施の形態に従うｅＮＢ１００は、複数の無線送受信機を有しており、それぞれの無線送受信機が指定された領域に対して、指定された周波数の無線信号を送受信する。すなわち、ｅＮＢ１００は、複数のコンポーネントキャリア（ＣＣ）を扱うことができるような構成を有しており、これにより、キャリアアグリゲーションを実現する。
【００３５】
移動局２００は、典型的には、携帯電話、ＰＤＡ（Personal Digital Assistant）、データ通信端末などであり、いずれかのｅＮＢ１００を介して相手先とデータを遣り取りする。
【００３６】
ＭＭＥ３００−１，３００−２，・・・（以下「ＭＭＥ３００」とも総称する。）の各々は、自局に接続されているｅＮＢ１００のコアネットワーク４００への接続を仲介するとともに、自局が管理するｅＮＢ１００のセル内に存在する移動局２００の位置情報などを管理する。基本的には、ＭＭＥ３００の各々には、複数のｅＮＢ１００が接続される。
【００３７】
コアネットワーク４００には、複数のＭＭＥ３００を介して、多数のｅＮＢ１００が接続されており、広域ネットワークを構成する。なお、ＬＴＥ方式またはＬＴＥ−Ａ方式では、コアネットワーク４００は、すべての情報がパケット化されたネットワークとなることが想定されている。
【００３８】
＜２．サービングセル＞
次に、図２を参照して、本実施の形態に従う通信システム１において提供されるセルについて説明する。
【００３９】
図２は、図１に示す通信システム１において提供されるセルの一例を示す模式図である。図２を参照して、通信システム１のｅＮＢ１００の各々は、少なくとも、周波数および送信エリアが異なるセルを提供する。移動局２００は、自局が存在する位置をカバーするセルをサービングセルとして利用する。本実施の形態においては、キャリアアグリゲーションを利用できるので、移動局２００との通信に用いられるサービングセルとしては、１つのＰＣｅｌｌ（Primary Serving Cell）と、１つ以上のＳＣｅｌｌ（Secondary Serving Cell）との組合せからなる場合がある。各セルは、少なくとも１つのコンポーネントキャリアを含むものとする。このように、移動局２００は、１つ以上のｅＮＢ１００がそれぞれ提供する複数の無線信号（コンポーネントキャリア）のうち、１つの１つの主たる無線信号（ＰＣＣ：Primary Component Carrier）と１つ以上の副たる無線信号（ＳＣＣ：Secondary Component Carrier）とを利用して通信可能に構成されている。
【００４０】
なお、ＬＴＥおよびＬＴＥ−Ａでは、周波数分割多重（Frequency Division Duplex：ＦＤＤ）方式および時間分割多重（Time Division Duplex：ＴＤＤ）方式をサポートすることになっているが、本実施の形態においては、ＦＤＤ方式を採用した通信システム１の例を示すが、本発明は、ＴＤＤ方式を採用した場合にも同様に適用可能である。
【００４１】
現実的な電波利用状況を考慮して、図２には、ｅＮＢ１００が提供する複数のコンポーネントキャリアが周波数領域において連続していない例を示す。すなわち、各ｅＮＢ１００には、無線資源として、離散的に割当てられた複数の周波数帯域が割当てられるものとする。図２に示す例では、２つの周波数帯（周波数帯Ｉと周波数帯ＩＩ）のコンポーネントキャリアが使用される。なお、周波数帯の各々が複数のコンポーネントキャリアを含む場合もある。
【００４２】
このように利用可能な周波数帯域は、各国の電波行政などに従ってシステム的に規定される。例えば、周波数帯Ｉとしては、８００ＭＨｚ帯（アップリンク：８２４ＭＨｚ−８４９ＭＨｚ／ダウンリンク：８６９ＭＨｚ−８９４ＭＨｚ）のいずれかの周波数が割当てられ、周波数帯ＩＩとしては、２ＧＨｚ帯（アップリンク：１９２０ＭＨｚ−１９８０ＭＨｚ／ダウンリンク：２１１０ＭＨｚ−２１７０ＭＨｚ）のいずれかの周波数が割当てられる。
【００４３】
図２に示す例では、ｅＮＢ１００−１〜１００−３の各々は、その周辺に、周波数帯Ｉのセルを３つ、および、周波数帯ＩＩのセルを３つそれぞれ形成しているものとする。より具体的には、ｅＮＢ１００−１は、周波数帯Ｉのコンポーネントキャリアで構成されるセルエリアＣ１１Ａ，Ｃ１２Ａ，Ｃ１３Ａと、周波数帯ＩＩのコンポーネントキャリアで構成されるセルエリアＣ１１Ｂ，Ｃ１２Ｂ，Ｃ１３Ｂとを提供する。同様に、ｅＮＢ１００−２は、周波数帯Ｉのコンポーネントキャリアで構成されるセルエリアＣ２１Ａ，Ｃ２２Ａ，Ｃ２３Ａと、周波数帯ＩＩのコンポーネントキャリアで構成されるセルエリアＣ２１Ｂ，Ｃ２２Ｂ，Ｃ２３Ｂとを提供する。ｅＮＢ１００−３は、周波数帯Ｉのコンポーネントキャリアで構成されるセルエリアＣ３１Ａ，Ｃ３２Ａ，Ｃ３３Ａと、周波数帯ＩＩのコンポーネントキャリアで構成されるセルエリアＣ３１Ｂ，Ｃ３２Ｂ，Ｃ３３Ｂとを提供する。
【００４４】
周波数帯Ｉのセルエリアと周波数帯ＩＩのセルエリアとは、少なくともその一部が互いに重なって設定されている。但し、周波数帯Ｉのセルエリアと周波数帯ＩＩのセルエリアとの間では、その大きさが異なっている。これは、周波数に応じて無線信号の伝搬特性や減衰特性が異なるので、上述のような異なる複数の周波数帯域を用いた場合には、同一のｅＮＢ１００が提供するするセルエリアの大きさも異なったものとなり得る。
【００４５】
移動局２００がキャリアアグリゲーションを用いて通信する場合には、複数のコンポーネントキャリアを利用することになり、複数のコンポーネントキャリアにそれぞれ対応する複数のセルがサービングセルとして機能することになる。なお、図２に示す各セルエリアには、物理的および／または論理的に区分された複数のセルが含まれる場合もある。この場合には、共通のセルエリア内で提供される複数のセルがサービングセルとなる。
【００４６】
そのため、移動局２００が移動していない場合であっても、伝搬路におけるノイズなどによって無線リンク障害（ＲＬＦ）が発生すると、ｅＮＢ１００が提供する一部のセルがサービングセルとしての機能を停止することになる。その後、伝搬路の状況が改善すると、移動局２００はいずれかのコンポーネントキャリアを利用した通信を再開する。本明細書においては、移動局２００が新たにコンポーネントキャリアの利用を開始する動作を「再接続」と称する。この「再接続」は、典型的には、コンポーネントキャリアの利用を停止した後に、（同一または異なる）コンポーネントキャリアの利用を開始する場合が相当するが、本質的には、コンポーネントキャリアの利用を開始する前の動作を限定するものではない。そのため、「再接続」は、それ以前の動作とは無関係に、何らかのコンポーネントキャリアの利用を開始する動作を総称する。なお、接続が切断される要因は、無線リンク障害の発生に限られず、各種の外乱によって生じ得る。
【００４７】
また、「再接続」は、移動局２００が移動することで生じるハンドオーバーにおいても実施される。さらに、上述したように、同一のセルエリア内で複数のセルが提供されるので、移動局２００が移動していなくとも、同一のセルエリア内で提供される複数のセルについて、あるセルから異なるセルへの移動局２００の接続先が変更されるような動作もハンドオーバーに含まれ得る。そして、本実施の形態は、このような「再接続」における情報の設定方法に向けられる。
【００４８】
＜３．装置構成＞
次に、図１に示す通信システム１を構成する各装置について説明する。
【００４９】
（３−１：基地局（ｅＮＢ）１００の構成）
まず、本実施の形態に従う通信システム１において利用されるｅＮＢ１００の構成について説明する。図３は、本発明の実施の形態に従う基地局（ｅＮＢ）１００の概略構成を示すブロック図である。
【００５０】
図３を参照して、ｅＮＢ１００は、基本的には、提供可能なコンポーネントキャリアに相当する数の送受信回路を有する。より具体的には、ｅＮＢ１００は、制御部１０２−１〜１０２−ｎと、信号処理部１１０−１〜１１０−ｎと、送信部１１２−１〜１１２−ｎと、送信アンテナ１１４−１〜１１４−ｎと、受信部１１６−１〜１１６−ｎと、受信アンテナ１１８−１〜１１８−ｎとを含む。さらに、ｅＮＢ１００は、中央処理部１０４と、上位ネットワークインターフェイス（Ｉ／Ｆ）１０６と、制御インターフェイス（Ｉ／Ｆ）１０８とを含む。
【００５１】
ｅＮＢ１００の送受信回路の各々は、割当てられたコンポーネントキャリアを用いて、移動局２００との間でデータ（無線信号）を遣り取りする。すなわち、制御部１０２−１〜１０２−ｎの各々は、中央処理部１０４から与えられるユーザデータ、制御情報、および管理情報などを対応する信号処理部１１０−１〜１１０−ｎへ出力し、信号処理部１１０−１〜１１０−ｎで復号されたユーザデータなどを中央処理部１０４へ出力する。
【００５２】
信号処理部１１０−１〜１１０−ｎは、対応するコンポーネントキャリアが到達するエリア内に存在する移動局２００との間で遣り取りされる無線信号を処理する。より具体的には、信号処理部１１０−１〜１１０−ｎは、対応する制御部１０２−１〜１０２−ｎから与えられるユーザデータ、制御情報、および管理情報などを受けて、移動局２００へ送信すべき情報を対応する送信部１１２−１〜１１２−ｎへ出力する。送信部１１２−１〜１１２−ｎは、対応する信号処理部１１０−１〜１１０−ｎから受けた情報に対して、符号化処理、変調処理およびアップコンバートを行って、その結果得られる無線信号を対応する送信アンテナ１１４−１〜１１４−ｎを介して外部へ放射する。また、受信部１１６−１〜１１６−ｎは、対応する受信アンテナ１１８−１〜１１８−ｎを介して受信した無線信号に対して、ダウンコンバート、復調処理および復号処理を行って、その結果得られた情報を対応する信号処理部１１０−１〜１１０−ｎへ出力する。
【００５３】
中央処理部１０４は、主たる構成要素として、プロセッサと、プロセッサで実行されるプログラムを保持するための不揮発性メモリと、ワークメモリとして機能する揮発性メモリとを含む。さらに、中央処理部１０４は、キャリアアグリゲーションロジック１０５を含む。このロジックは、典型的には、中央処理部１０４が予め格納されているプログラムを実行することで提供される。例えば、キャリアアグリゲーションロジック１０５に対応するモジュールが予め不揮発性メモリに記憶されており、中央処理部１０４がこれらのモジュールを読み出して実行することで後述するような機能が提供される。
【００５４】
キャリアアグリゲーションロジック１０５は、移動局２００との間のキャリアアグリゲーションを実現するための各種の手続きを実行する。この手続きには、後述するように、再接続が発生した際のＣｏｎｆｉｇｕｒａｔｉｏｎに関する手続きなどを含む。このＣｏｎｆｉｇｕｒａｔｉｏｎは、記憶部１２０に保持される。キャリアアグリゲーションロジック１０５は、記憶部１２０を参照することで、キャリアアグリゲーションに必要な情報を設定する。
【００５５】
なお、中央処理部１０４によって提供される機能の一部または全部を専用のハードウェア（集積回路）として実装してもよい。この場合には、中央処理部１０４によって提供される機能に加えて、制御部１０２−１〜１０２−ｎ、信号処理部１１０−１〜１１０−ｎ、送信部１１２−１〜１１２−ｎ、および、受信部１１６−１〜１１６−ｎによって提供される機能の全部または一部を含めて、１チップ化してもよい。さらに、プロセッサ、メモリ、周辺デバイス用のコントローラといった部品を１チップ化したＳｏＣを利用することもできる。
【００５６】
代替の構成として、制御部１０２−１〜１０２−ｎ、信号処理部１１０−１〜１１０−ｎ、送信部１１２−１〜１１２−ｎ、および、受信部１１６−１〜１１６−ｎによって提供される機能の全部または一部をソフトウェアとして実装してもよい。この場合には、ＣＰＵ（Central Processing Unit）やＤＳＰ（Digital Signal Processor）といった演算装置（プロセッサ）が予めインストールされた命令セットを実行することになる。
【００５７】
上位ネットワークインターフェイス１０６は、自局を管理するＭＭＥ３００との間で、ユーザデータ、制御情報、および管理情報などを遣り取りする。同様に、制御インターフェイス２２２は、他のｅＮＢ１００との間で制御情報を遣り取りする。
【００５８】
（３−２：移動局（ＵＥ）２００の構成）
次に、本実施の形態に従う通信システム１において利用される移動局２００の構成について説明する。図４は、本発明の実施の形態に従う移動局（ＵＥ）２００の概略構成を示すブロック図である。
【００５９】
図４を参照して、移動局２００は、利用可能なコンポーネントキャリアに相当する数の送受信回路を有する。図４に示す例では、２つのコンポーネントキャリアを利用可能な公正について説明する。より具体的には、移動局２００は、無線信号を送信するための送信アンテナ２１４−１，２１４−２と、無線信号を受信するための受信アンテナ２１８−１，２１８−２とが設けられた筐体２５０を含む。筐体２５０は、中央処理部２０４と、信号処理部２０２と、送信部２１２−１，２１２−２と、受信部２１６−１，２１６−２とを含む。
【００６０】
信号処理部２０２は、自装置が存在するセルを管理するｅＮＢ１００との間で遣り取りされる無線信号を処理する。より具体的には、信号処理部２０２は、中央処理部２０４から与えられる内部指令に従って、ｅＮＢ１００へ送信すべき情報を送信部２１２−１，２１２−２へ出力する。送信部２１２−１，２１２−２は、信号処理部２０２から受けた情報に対して、符号化処理、変調処理およびアップコンバートを行って、その結果得られる無線信号を対応する送信アンテナ２１４−１，２１４−２を介して外部へ放射する。また、受信部２１６−１，２１６−２は対応する受信アンテナ２１８−１，２１８−２を介して受信した無線信号に対して、ダウンコンバート、復調処理および復号処理を行って、その結果得られた情報を信号処理部２０２へ出力する。
【００６１】
上述したように、キャリアアグリゲーションの実施中では、１つのＰＣｅｌｌおよび１つ以上のＳＣｅｌｌがｅＮＢ１００との通信に用いられるサービングセルとして利用される。そのため、図４には、ＰＣｅｌｌに対応するコンポーネントキャリアを扱う送信部および受信部に「Ｐ」を記し、ＳＣｅｌｌに対応するコンポーネントキャリアを扱う送信部および受信部に「Ｓ」を記している。但し、あるセルが「ＰＣｅｌｌ」として機能するか、あるいは、「ＳＣｅｌｌ」として機能するかは、通信状況などによって変化する。
【００６２】
中央処理部２０４は、主たる構成要素として、プロセッサと、プロセッサで実行されるプログラムを保持するための不揮発性メモリと、ワークメモリとして機能する揮発性メモリとを含む。さらに、中央処理部２０４は、キャリアアグリゲーションロジック２０５を含む。このロジックは、典型的には、中央処理部２０４が予め格納されているプログラムを実行することで提供される。例えば、キャリアアグリゲーションロジック２０５に対応するモジュールが予め不揮発性メモリに記憶されており、中央処理部２０４がこれらのモジュールを読み出して実行することで後述するような機能が提供される。
【００６３】
キャリアアグリゲーションロジック２０５は、ｅＮＢ１００との間のキャリアアグリゲーションを実現するための各種の手続きを実行する。この手続きには、後述するように、再接続が発生した際のＣｏｎｆｉｇｕｒａｔｉｏｎに関する手続きなどを含む。このＣｏｎｆｉｇｕｒａｔｉｏｎは、記憶部２２０に保持される。キャリアアグリゲーションロジック２０５は、記憶部２２０を参照することで、キャリアアグリゲーションに必要な情報を設定する。
【００６４】
なお、中央処理部２０４によって提供される機能の一部または全部を専用のハードウェア（集積回路）として実装してもよい。この場合には、中央処理部２０４によって提供される機能に加えて、信号処理部２０２、送信部２１２−１，２１２−２、および、受信部２１６−１，２１６−２によって提供される機能の全部または一部を含めて、１チップ化してもよい。さらに、プロセッサ、メモリ、周辺デバイス用のコントローラといった部品を１チップ化したＳｏＣを利用することもできる。
【００６５】
代替の構成として、中央処理部１０４、信号処理部２０２、送信部２１２−１，２１２−２、および、受信部２１６−１，２１６−２によって提供される機能の全部または一部をソフトウェアとして実装してもよい。この場合には、ＣＰＵやＤＳＰといった演算装置（プロセッサ）が予めインストールされた命令セットを実行することになる。
【００６６】
筐体２５０は、さらに、各種情報を表示するための表示部２５２と、ユーザの音声などを取得するためのマイク２５４と、受信した音声を再生するためのスピーカ２５６と、ユーザ操作を受付けるための入力部２５８と、自局の位置情報を取得するためのＧＰＳ（Global Positioning System）ユニット２６０とを含む。
【００６７】
＜４．課題＞
キャリアアグリゲーションを利用した通信では、上述したように、１つのＰＣｅｌｌおよび１つ以上のＳＣｅｌｌとをそれぞれ指定する必要がある。すなわち、キャリアアグリゲーションを利用した通信で使用されるコンポーネントキャリアは、通信開始時や再設定時に、ｅＮＢ１００が端末固有（UE specific）で割当てる。このコンポーネントキャリアの割当てなどに使用される設定情報として、Ｃｏｎｆｉｇｕｒａｔｉｏｎが規定されている。このようなＣｏｎｆｉｇｕｒａｔｉｏｎによって、ｅＮＢ１００と移動局２００との間で、キャリアアグリゲーションで使用するそれぞれのコンポーネントキャリアを設定する。
【００６８】
このような設定情報の一種として、現行の仕様では、移動局２００が利用する１つ以上の副たる無線信号、すなわちＳＣＣに関する設定情報として、ＳＣｅｌｌ＿Ｃｏｎｆｉｇｕｒａｔｉｏｎが規定されている。このＳＣｅｌｌ＿Ｃｏｎｆｉｇｕｒａｔｉｏｎは、各ＳＣｅｌｌ（ＳＣＣ）についての物理セルＩＤや周波数情報などを含む。
【００６９】
上述したように、ＳＣｅｌｌに対応するコンポーネントキャリアであるＳＣＣについては、状態値として、「ｃｏｎｆｉｇｕｒｅ状態」と「非ｃｏｎｆｉｇｕｒｅ状態」とを含む。さらに、ｃｏｎｆｉｇｕｒｅ状態は、「ａｃｔｉｖａｔｅ」と「ｄｅａｃｔｉｖａｔｅ」とを含む。
【００７０】
図５は、キャリアアグリゲーションのＳＣＣについての状態を示す遷移図である。図５を参照して、Ｃｏｎｆｉｇｕｒａｔｉｏｎが設定されていない非ｃｏｎｆｉｇｕｒｅ状態と、Ｃｏｎｆｉｇｕｒａｔｉｏｎが設定されているｃｏｎｆｉｇｕｒｅ状態とを含む。但し、ｃｏｎｆｉｇｕｒｅ状態であっても、ａｃｔｉｖａｔｅにしなければ、キャリアアグリゲーションは実施されない。すなわち、Ｃｏｎｆｉｇｕｒａｔｉｏｎが設定された当初はｄｅａｃｔｉｖａｔｅであり、当該ＳＣｅｌｌにおける無線品質についての移動局２００からの報告に基づいて、当該ＳＣｅｌｌの無線品質が良好であると判断されると、当該ＳＣｅｌｌはａｃｔｉｖａｔｅに変更される。すると、ＳＣｅｌｌにおける、ｅＮＢ１００と移動局２００との間のキャリアアグリゲーションによる通信が行なわれる。
【００７１】
次に、現行の仕様に従うキャリアアグリゲーションの手続きにおける課題を説明する。
図６は、現行の仕様に従うキャリアアグリゲーションによる通信中に無線リンク障害（ＲＬＦ）が発生した場合の手続きを示すシーケンス図である。現行の仕様に従えば、キャリアアグリゲーションの実施中に、無線リンク障害が発生した場合には、ＲＲＣ＿Ｃｏｎｎｅｃｔｉｏｎ＿Ｒｅｅｓｔａｂｌｉｓｈｍｅｎｔ手続きが開始されることが規定されている。このとき、ＳＣｅｌｌをｃｏｎｆｉｇｕｒｅ状態にするための情報であるＳＣｅｌｌ＿Ｃｏｎｆｉｇｕｒａｔｉｏｎについてもリリースされる。
【００７２】
図６を参照して、この手続きについてより具体的に説明する。図６に示すシーケンス図には、ｅＮＢ１００−１が提供するセルの１つをＰＣｅｌｌとして用いて、移動局２００がキャリアアグリゲーションを実施している場合を示す。なお、図示していないが、ｅＮＢ１００−１または他のｅＮＢが提供する１つ以上のセルをＳＣｅｌｌとして利用することが可能である。
【００７３】
まず、移動局２００は、ｅＮＢ１００−１が提供するＰＣｅｌｌでｅＮＢ１００−１と通信中であるとする（シーケンスＳＱ２００）。このとき、キャリアアグリゲーション（ＣＡ）に用いるＳＣｅｌｌを規定するためのＳＣｅｌｌ＿Ｃｏｎｆｉｇｕｒａｔｉｏｎが設定されているとする。すなわち、移動局２００およびｅＮＢ１００−１は、それぞれＳＣｅｌｌ＿Ｃｏｎｆｉｇｕｒａｔｉｏｎを保持している。
【００７４】
この状態で、伝搬路におけるノイズなどによってＰＣＣに無線リンク障害（ＲＬＦ）が発生したとする（シーケンスＳＱ２０２）。そして、この無線リンク障害によって、ＰＣＣでのｅＮＢ１００−１と移動局２００との間の接続が切断されたとする。
【００７５】
この接続の切断に応答して、移動局２００は、自局が保持しているＳＣｅｌｌ＿Ｃｏｎｆｉｇｕｒａｔｉｏｎ設定をリリース（release）する（シーケンスＳＱ２０４）。また、ｅＮＢ１００−１についても、自局が保持しているＳＣｅｌｌ＿Ｃｏｎｆｉｇｕｒａｔｉｏｎ設定をリリースする（シーケンスＳＱ２０６）。
【００７６】
続いて、移動局２００は、切断された接続を回復するために、ＲＲＣ＿Ｃｏｎｎｅｃｔｉｏｎ＿Ｒｅｅｓｔａｂｌｉｓｈｍｅｎｔ手続きを開始する。すなわち、移動局２００は、周期的または所定のイベント毎に、ＲＲＣ＿Ｃｏｎｎｅｃｔｉｏｎ＿Ｒｅｅｓｔａｂｌｉｓｈｍｅｎｔ＿ＲｅｑｕｅｓｔをｅＮＢ１００−１へ送信する（シーケンスＳＱ２０８）。このＲＲＣ＿Ｃｏｎｎｅｃｔｉｏｎ＿Ｒｅｅｓｔａｂｌｉｓｈｍｅｎｔ＿Ｒｅｑｕｅｓｔは、切断された接続を再接続するための要求である。
【００７７】
ＰＣＣでの無線リンク障害が回復し、ｅＮＢ１００−１が移動局２００からのＲＲＣ＿Ｃｏｎｎｅｃｔｉｏｎ＿Ｒｅｅｓｔａｂｌｉｓｈｍｅｎｔ＿Ｒｅｑｕｅｓｔを受信すると、ｅＮＢ１００−１は、ＲＲＣ＿Ｃｏｎｎｅｃｔｉｏｎ＿Ｒｅｅｓｔａｂｌｉｓｈｍｅｎｔを移動局２００へ通知する（シーケンスＳＱ２１０）。移動局２００は、ｅＮＢ１００−１からのＲＲＣ＿Ｃｏｎｎｅｃｔｉｏｎ＿Ｒｅｅｓｔａｂｌｉｓｈｍｅｎｔを受信すると、必要な設定を行なった後、ＲＲＣ＿Ｃｏｎｎｅｃｔｉｏｎ＿Ｒｅｅｓｔａｂｌｉｓｈｍｅｎｔ手続きの完了を通知するためのＲＲＣ＿Ｃｏｎｎｅｃｔｉｏｎ＿Ｒｅｅｓｔａｂｌｉｓｈｍｅｎｔ＿ＣｏｍｐｌｅｔｅをｅＮＢ１００−１へ送信する（シーケンスＳＱ２１２）。すると、移動局２００は、ｅＮＢ１００−１が提供するＰＣｅｌｌでｅＮＢ１００−１と通信を再開する（シーケンスＳＱ２１４）。
【００７８】
このとき、シーケンスＳＱ２０４およびＳＱ２０６において、ＳＣｅｌｌ＿Ｃｏｎｆｉｇｕｒａｔｉｏｎ設定がリリースされているので、キャリアアグリゲーション（ＣＡ）に用いるＳＣｅｌｌを規定するためのＳＣｅｌｌ＿Ｃｏｎｆｉｇｕｒａｔｉｏｎは設定されていない。そのため、キャリアアグリゲーションを再開するために、ＳＣｅｌｌのＣｏｎｆｉｇｕｒａｔｉｏｎ手続きが再度実行される。
【００７９】
より具体的には、ｅＮＢ１００−１は、ＲＲＣ＿Ｃｏｎｎｅｃｔｉｏｎ＿Ｒｅｃｏｎｆｉｇｕｒａｔｉｏｎを移動局２００へ通知する（シーケンスＳＱ２１６）。このＲＲＣ＿Ｃｏｎｎｅｃｔｉｏｎ＿Ｒｅｃｏｎｆｉｇｕｒａｔｉｏｎには、ＳＣｅｌｌ＿Ｃｏｎｆｉｇｕｒａｔｉｏｎが含まれる。これにより、キャリアアグリゲーション（ＣＡ）に用いるＳＣｅｌｌを規定するためのＳＣｅｌｌ＿Ｃｏｎｆｉｇｕｒａｔｉｏｎが再設定される。
【００８０】
移動局２００は、ｅＮＢ１００−１からのＲＲＣ＿Ｃｏｎｎｅｃｔｉｏｎ＿Ｒｅｃｏｎｆｉｇｕｒａｔｉｏｎを受信すると、その中に含まれるＳＣｅｌｌ＿Ｃｏｎｆｉｇｕｒａｔｉｏｎを保持した後、ＳＣｅｌｌのＣｏｎｆｉｇｕｒａｔｉｏｎ手続きの完了を通知するためのＲＲＣ＿Ｃｏｎｎｅｃｔｉｏｎ＿Ｒｅｃｏｎｆｉｇｕｒａｔｉｏｎ＿ＣｏｍｐｌｅｔｅをｅＮＢ１００−１へ送信する（シーケンスＳＱ２１８）。すると、移動局２００は、ｅＮＢ１００−１が提供するＰＣｅｌｌに加えて、ＳＣｅｌｌ＿Ｃｏｎｆｉｇｕｒａｔｉｏｎによって指定されたＳＣｅｌｌを用いて、キャリアアグリゲーション（ＣＡ）で通信を開始する（シーケンスＳＱ２２０）。
【００８１】
図６に示すように、現行の仕様に従うキャリアアグリゲーションによれば、ＰＣｅｌｌにおいて無線リンク障害が発生するたびに、ｅＮＢ１００から移動局２００に対して、ＳＣｅｌｌ＿Ｃｏｎｆｉｇｕｒａｔｉｏｎを送信する必要があり、無線リソースおよび処理時間を無駄に要するという課題がある。
【００８２】
そこで、本実施の形態に従う通信システム１は、このような無線リソースおよび処理時間の無駄を回避できる手続きを提供する。
【００８３】
＜５．概要＞
上述したように、再接続の前後の状況は各種の形態が想定される。そこで、以下の説明では、典型的に、次の５つのケースについて説明する。なお、本発明の技術的範囲は、後述する５つのケースに限られるものではなく、その本質的な内容を失わない範囲で各種のケースに適用可能である。なお、再接続が生じる前において、移動局２００は、１つのＰｃｅｌｌと１つ以上のＳＣｅｌｌとの組合せからなるサービングセルを利用しているものとする。
【００８４】
（１）ＰＣｅｌｌでの接続が切断された後、同一のＰＣｅｌｌに再接続する場合
（２）ＰＣｅｌｌでの接続が切断された後、当該ＰＣｅｌｌが属するｅＮＢと同一のｅＮＢに属するＳＣｅｌｌに再接続する場合（ＳＣｅｌｌは新たなＰＣｅｌｌとなる）
（３）ＰＣｅｌｌでの接続が切断された後、当該ＰＣｅｌｌが属するｅＮＢとは異なるｅＮＢに属するＳＣｅｌｌに再接続する場合（ＳＣｅｌｌは新たなＰＣｅｌｌとなる）
（４）ＰＣｅｌｌでの接続が切断された後、当該ＰＣｅｌｌが属するｅＮＢと同一のｅＮＢに属するが、ＰＣｅｌｌまたはＳＣｅｌｌとは異なるセル（サービングセル以外のセル）に再接続する場合（当該異なるセルが新たなＰＣｅｌｌとなる）
（５）ＰＣｅｌｌでの接続が切断された後、当該ＰＣｅｌｌが属するｅＮＢとは異なるｅＮＢに属し、かつ、ＳＣｅｌｌとは異なるセル（サービングセル以外のセル）に再接続する場合（当該異なるセルが新たなＰＣｅｌｌとなる）
＜６．実施の形態１＞
まず、（１）ＰＣｅｌｌでの接続が切断された後、同一のＰＣｅｌｌに再接続する場合の手続きについて説明する。この場合には、移動局２００およびＰＣｅｌｌを提供するｅＮＢ１００は、いずれも、無線リンク障害（ＲＬＦ）が発生したとしても、その直前に保持していたＳＣｅｌｌ＿Ｃｏｎｆｉｇｕｒａｔｉｏｎをリリースすることなく、保持し続ける。すなわち、移動局２００および移動局２００との間で主たる無線信号（ＰＣＣ）を送受信するＮＢ１００−１の各々は、当該主たる無線信号を利用した通信が切断された後であっても、設定情報であるＳＣｅｌｌ＿Ｃｏｎｆｉｇｕｒａｔｉｏｎを保持する。このとき、ＳＣｅｌｌ＿Ｃｏｎｆｉｇｕｒａｔｉｏｎの内容についても変更することなく、そのまま維持する。このようにＳＣｅｌｌ＿Ｃｏｎｆｉｇｕｒａｔｉｏｎをリリースせずに保持しておくことで、無線リンク障害が回復した後に、それぞれが保持しているＳＣｅｌｌ＿Ｃｏｎｆｉｇｕｒａｔｉｏｎを使用して、キャリアアグリゲーションをより迅速に再開できる。すなわち、移動局２００およびｅＮＢ１００−１の各々は、主たる無線信号（ＰＣＣ）を利用した通信が再開された後、保持している設定情報を利用して、キャリアアグリゲーションを再開する。
【００８５】
図７は、実施の形態１に従うキャリアアグリゲーションによる通信中に無線リンク障害（ＲＬＦ）が発生した場合の手続きを示すシーケンス図である。
【００８６】
図７を参照して、まず、移動局２００は、ｅＮＢ１００−１が提供するＰＣｅｌｌでｅＮＢ１００−１と通信中であるとする（シーケンスＳＱ１００）。このとき、キャリアアグリゲーション（ＣＡ）に用いるＳＣｅｌｌを規定するためのＳＣｅｌｌ＿Ｃｏｎｆｉｇｕｒａｔｉｏｎが設定されているとする。すなわち、移動局２００およびｅＮＢ１００−１は、それぞれＳＣｅｌｌ＿Ｃｏｎｆｉｇｕｒａｔｉｏｎを保持している。
【００８７】
この状態で、伝搬路におけるノイズなどによってＰＣＣに無線リンク障害（ＲＬＦ）が発生したとする（シーケンスＳＱ１０２）。そして、この無線リンク障害によって、ＰＣＣでのｅＮＢ１００−１と移動局２００との間の接続が切断されたとする。
【００８８】
この接続の切断が発生しても、移動局２００は、自局が保持しているＳＣｅｌｌ＿Ｃｏｎｆｉｇｕｒａｔｉｏｎ設定をリリースせずに保持する（シーケンスＳＱ１０４）。また、ｅＮＢ１００−１についても、自局が保持しているＳＣｅｌｌ＿Ｃｏｎｆｉｇｕｒａｔｉｏｎ設定をリリースせずに保持する（シーケンスＳＱ１０６）。
【００８９】
続いて、移動局２００は、切断された接続を回復するために、ＲＲＣ＿Ｃｏｎｎｅｃｔｉｏｎ＿Ｒｅｅｓｔａｂｌｉｓｈｍｅｎｔ手続きを開始する。すなわち、移動局２００は、周期的または所定のイベント毎に、ＲＲＣ＿Ｃｏｎｎｅｃｔｉｏｎ＿Ｒｅｅｓｔａｂｌｉｓｈｍｅｎｔ＿Ｒｅｑｕｅｓｔをいずれかのセルへ送信する（シーケンスＳＱ１０８）。このＲＲＣ＿Ｃｏｎｎｅｃｔｉｏｎ＿Ｒｅｅｓｔａｂｌｉｓｈｍｅｎｔ＿Ｒｅｑｕｅｓｔは、切断された接続を再接続するための要求である。
【００９０】
ＰＣＣでの無線リンク障害が回復し、ｅＮＢ１００−１が移動局２００からのＲＲＣ＿Ｃｏｎｎｅｃｔｉｏｎ＿Ｒｅｅｓｔａｂｌｉｓｈｍｅｎｔ＿Ｒｅｑｕｅｓｔを受信すると、ｅＮＢ１００−１は、ＲＲＣ＿Ｃｏｎｎｅｃｔｉｏｎ＿Ｒｅｅｓｔａｂｌｉｓｈｍｅｎｔを移動局２００へ通知する（シーケンスＳＱ１１０）。移動局２００は、ｅＮＢ１００−１からのＲＲＣ＿Ｃｏｎｎｅｃｔｉｏｎ＿Ｒｅｅｓｔａｂｌｉｓｈｍｅｎｔを受信すると、必要な設定を行なった後、ＲＲＣ＿Ｃｏｎｎｅｃｔｉｏｎ＿Ｒｅｅｓｔａｂｌｉｓｈｍｅｎｔ手続きの完了を通知するためのＲＲＣ＿Ｃｏｎｎｅｃｔｉｏｎ＿Ｒｅｅｓｔａｂｌｉｓｈｍｅｎｔ＿ＣｏｍｐｌｅｔｅをｅＮＢ１００−１へ送信する（シーケンスＳＱ１１２）。すると、移動局２００は、ｅＮＢ１００−１が提供するＰＣｅｌｌでｅＮＢ１００−１と通信を再開する（シーケンスＳＱ１１４）。
【００９１】
このとき、移動局２００およびｅＮＢ１００−１は、無線リンク障害の発生前と同じセルを用いて接続を回復できたと判断し、それぞれが保持しているＳＣｅｌｌ＿Ｃｏｎｆｉｇｕｒａｔｉｏｎ設定をそのまま再使用する（シーケンスＳＱ１１４，ＳＱ１１６）。すなわち、移動局２００は、無線リンク障害の発生前と同じＰＣｅｌｌで移動局２００と通信を再開したため、ＳＣｅｌｌの設定についてもそのまま利用する。これにより、移動局２００は、ｅＮＢ１００−１が提供するＰＣｅｌｌに加えて、ＳＣｅｌｌ＿Ｃｏｎｆｉｇｕｒａｔｉｏｎによって指定されたＳＣｅｌｌを用いて、キャリアアグリゲーション（ＣＡ）で通信を再開する（シーケンスＳＱ１１８）。
【００９２】
上述したように、実施の形態１においては、無線リンク障害発生後に再開された通信において利用される主たる無線信号（ＰＣＣ）が、接続の切断前にｅＮＢ１００−１との間で送受信されていた主たる無線信号（ＰＣＣ）と同じである場合に、移動局２００および基地局ｅＮＢ１００−１の各々は、保持している設定情報をそのまま利用して、キャリアアグリゲーションを再開する。このように、実施の形態１によれば、無線リンク障害が発生した場合であっても、キャリアアグリゲーション（ＣＡ）に用いるＳＣｅｌｌを規定するためのＳＣｅｌｌ＿Ｃｏｎｆｉｇｕｒａｔｉｏｎを再設定する必要がないため、当該再設定に要する無線リソースおよび処理時間を無駄に消費することがない。
【００９３】
＜７．実施の形態２＞
次に、（２）ＰＣｅｌｌでの接続が切断された後、当該ＰＣｅｌｌが属するｅＮＢと同一のｅＮＢに属するＳＣｅｌｌに再接続する場合の手続きについて説明する。この場合にも、移動局２００およびＰＣｅｌｌを提供するｅＮＢ１００は、いずれも、無線リンク障害（ＲＬＦ）が発生したとしても、その直前に保持していたＳＣｅｌｌ＿Ｃｏｎｆｉｇｕｒａｔｉｏｎをリリースすることなく、保持し続ける。すなわち、移動局２００および移動局２００との間で主たる無線信号（ＰＣＣ）を送受信するＮＢ１００−１の各々は、当該主たる無線信号を利用した通信が切断された後であっても、設定情報であるＳＣｅｌｌ＿Ｃｏｎｆｉｇｕｒａｔｉｏｎを保持する。
【００９４】
その後、移動局２００が同一のｅＮＢ１００に属する旧ＳＣｅｌｌに再接続すると、当該旧ＳＣｅｌｌは、移動局２００から見れば新たなＰＣｅｌｌとなる。一方、旧ＰＣｅｌｌは、移動局２００から見れば新たなＳＣｅｌｌとなり得る。
【００９５】
そこで、ＳＣｅｌｌ＿Ｃｏｎｆｉｇｕｒａｔｉｏｎをリリースせずに保持しておき、無線リンク障害が回復した後に、当該ＳＣｅｌｌ＿Ｃｏｎｆｉｇｕｒａｔｉｏｎに含まれる旧ＳＣｅｌｌ（新たなＰＣｅｌｌ）の情報のみを無効化し、さらに、旧ＰＣｅｌｌ（新たなＳＣｅｌｌ）の情報で置換することで、ＳＣｅｌｌ＿Ｃｏｎｆｉｇｕｒａｔｉｏｎを再使用できる。すなわち、無線リンク障害の発生前に保持していたＳＣｅｌｌ＿Ｃｏｎｆｉｇｕｒａｔｉｏｎをリリースせずに、変更が必要なセルに関する情報のみを更新した上で再使用することで、キャリアアグリゲーションをより迅速に再開できる。すなわち、移動局２００およびｅＮＢ１００−１の各々は、主たる無線信号（ＰＣＣ）を利用した通信が再開された後、保持している設定情報を利用して、キャリアアグリゲーションを再開する。
【００９６】
図８は、実施の形態２に従うキャリアアグリゲーションによる通信中に無線リンク障害（ＲＬＦ）が発生した場合の手続きを示すシーケンス図である。
【００９７】
図８を参照して、まず、移動局２００は、ｅＮＢ１００−１が提供するＰＣｅｌｌおよびＳＣｅｌｌでｅＮＢ１００−１と通信中であるとする（シーケンスＳＱ１００Ａ）。このとき、キャリアアグリゲーション（ＣＡ）に用いるＳＣｅｌｌを規定するためのＳＣｅｌｌ＿Ｃｏｎｆｉｇｕｒａｔｉｏｎが設定されているとする。すなわち、移動局２００およびｅＮＢ１００−１は、それぞれＳＣｅｌｌ＿Ｃｏｎｆｉｇｕｒａｔｉｏｎを保持している。
【００９８】
この状態で、伝搬路におけるノイズなどによってＰＣＣに無線リンク障害（ＲＬＦ）が発生したとする（シーケンスＳＱ１０２）。そして、この無線リンク障害によって、ｅＮＢ１００−１と移動局２００との間の接続が切断されたとする。
【００９９】
この接続の切断が発生しても、移動局２００は、自局が保持しているＳＣｅｌｌ＿Ｃｏｎｆｉｇｕｒａｔｉｏｎ設定をリリースせずに保持する（シーケンスＳＱ１０４）。また、ｅＮＢ１００−１についても、自局が保持しているＳＣｅｌｌ＿Ｃｏｎｆｉｇｕｒａｔｉｏｎ設定をリリースせずに保持する（シーケンスＳＱ１０６）。
【０１００】
続いて、移動局２００は、切断された接続を回復するために、ＲＲＣ＿Ｃｏｎｎｅｃｔｉｏｎ＿Ｒｅｅｓｔａｂｌｉｓｈｍｅｎｔ手続きを開始する。すなわち、移動局２００は、周期的または所定のイベント毎に、ＲＲＣ＿Ｃｏｎｎｅｃｔｉｏｎ＿Ｒｅｅｓｔａｂｌｉｓｈｍｅｎｔ＿Ｒｅｑｕｅｓｔをいずれかのセルへ送信する（シーケンスＳＱ１０８Ａ）。
【０１０１】
図８の例では、ＲＲＣ＿Ｃｏｎｎｅｃｔｉｏｎ＿Ｒｅｅｓｔａｂｌｉｓｈｍｅｎｔ＿ＲｅｑｕｅｓｔがｅＮＢ１００−１に属するＳＣｅｌｌ（ＳＣＣ）で受信された場合を示す。すなわち、ｅＮＢ１００−１がＳＣＣでＲＲＣ＿Ｃｏｎｎｅｃｔｉｏｎ＿Ｒｅｅｓｔａｂｌｉｓｈｍｅｎｔ＿Ｒｅｑｕｅｓｔを受信すると、ｅＮＢ１００−１は、ＲＲＣ＿Ｃｏｎｎｅｃｔｉｏｎ＿Ｒｅｅｓｔａｂｌｉｓｈｍｅｎｔを移動局２００へ通知する（シーケンスＳＱ１１０Ａ）。
【０１０２】
移動局２００は、ｅＮＢ１００−１に属するＳＣｅｌｌ（ＳＣＣ）からのＲＲＣ＿Ｃｏｎｎｅｃｔｉｏｎ＿Ｒｅｅｓｔａｂｌｉｓｈｍｅｎｔを受信すると、必要な設定を行なった後、ＲＲＣ＿Ｃｏｎｎｅｃｔｉｏｎ＿Ｒｅｅｓｔａｂｌｉｓｈｍｅｎｔ手続きの完了を通知するためのＲＲＣ＿Ｃｏｎｎｅｃｔｉｏｎ＿Ｒｅｅｓｔａｂｌｉｓｈｍｅｎｔ＿ＣｏｍｐｌｅｔｅをｅＮＢ１００−１へ送信する（シーケンスＳＱ１１２Ａ）。すると、移動局２００は、ｅＮＢ１００−１が提供する旧ＳＣｅｌｌを新たなＰＣｅｌｌとしてｅＮＢ１００−１と通信を再開する（シーケンスＳＱ１１８Ａ）。なお、ｅＮＢ１００−１が提供する旧ＰＣｅｌｌを新たなＰＣｅｌｌとしてキャリアアグリゲーションを実施することもできる。
【０１０３】
このようにキャリアアグリゲーションをより迅速に再開するために、移動局２００およびｅＮＢ１００−１は、無線リンク障害の発生前においてＳＣｅｌｌであったセルを用いて接続を回復できたと判断し、ＳＣｅｌｌ＿Ｃｏｎｆｉｇｕｒａｔｉｏｎに含まれる旧ＳＣｅｌｌの情報を旧ＰＣｅｌｌの情報に置換する（シーケンスＳＱ１１４Ａ，ＳＱ１１６Ａ）。そして、移動局２００は、接続した新たなＰＣｅｌｌに加えて、この情報を置換した後のＳＣｅｌｌ＿Ｃｏｎｆｉｇｕｒａｔｉｏｎによって指定されたＳＣｅｌｌを用いて、キャリアアグリゲーション（ＣＡ）で通信を再開する（シーケンスＳＱ１１８Ａ）。このように、同一のｅＮＢ１００が提供する複数のセルの間で、ＰＣｅｌｌとなるセルとＳＣｅｌｌとなるセルとが交換されるので、このセルの機能の変更に応じて、保持しているＳＣｅｌｌ＿Ｃｏｎｆｉｇｕｒａｔｉｏｎの必要部分のみを変更した上で、再使用する。
【０１０４】
次に、シーケンスＳＱ１１４ＡおよびＳＱ１１６Ａにおける、ＳＣｅｌｌ＿Ｃｏｎｆｉｇｕｒａｔｉｏｎに含まれる旧ＳＣｅｌｌの情報を旧ＰＣｅｌｌの情報に置換する処理例について、説明する。
【０１０５】
図９は、実施の形態２に従うＳＣｅｌｌ＿Ｃｏｎｆｉｇｕｒａｔｉｏｎの置換処理を説明するための図である。図９には、記憶部１２０（図３）および記憶部２２０（図４）に保持されるＳＣｅｌｌ＿Ｃｏｎｆｉｇｕｒａｔｉｏｎとして、ＳＣｅｌｌとして最大４セル分の情報を格納できる構成例を示す。より具体的には、図９（Ｃ）に示すような、各セルについての物理セルＩＤや周波数情報などをインデックス（ＳＣｅｌｌＩｎｄｅｘ）付けしたＳＣｅｌｌ情報が用いられる。そして、図９（Ａ）または図９（Ｂ）に示すように、ＳＣｅｌｌ＿Ｃｏｎｆｉｇｕｒａｔｉｏｎには、ＳＣｅｌｌ情報のうちＳＣｅｌｌとして使用されるセルを特定するためのＳＣｅｌｌＩｎｄｅｘが格納される。
【０１０６】
このような構造例における置換処理としては、次の２つの方法が挙げられる。
第１の方法として、図９（Ａ）および図９（Ｃ）に示すように、ＳＣｅｌｌ＿Ｃｏｎｆｉｇｕｒａｔｉｏｎに記述されたＳＣｅｌｌＩｎｄｅｘの値を変更することなく、ＳＣｅｌｌ情報の内容を更新する方法が挙げられる。より具体的には、図９（Ａ）のＳＣｅｌｌＩｎｄｅｘ＝１のエントリに対応する、ＳＣｅｌｌ情報（図９（Ｃ））が旧ＰＣｅｌｌの情報に置換される。これにより、ＳＣｅｌｌＩｎｄｅｘ＝１として参照されるセルの情報が実質的に旧ＳＣｅｌｌの情報から旧ＰＣｅｌｌへ変更される。
【０１０７】
第２の方法として、図９（Ｂ）および図９（Ｃ）に示すように、ＳＣｅｌｌ＿Ｃｏｎｆｉｇｕｒａｔｉｏｎに記述された旧ＳＣｅｌｌに対応するＳＣｅｌｌＩｎｄｅｘの値を削除した上で、旧ＰＣｅｌｌに対応するＳＣｅｌｌＩｎｄｅｘの値をＳＣｅｌｌ＿Ｃｏｎｆｉｇｕｒａｔｉｏｎに追加する方法が挙げられる。より具体的には、図９（Ｂ）に示すように、旧ＳＣｅｌｌに対応するＳＣｅｌｌＩｎｄｅｘ＝１のエントリを削除した上で、旧ＰＣｅｌｌに対応するＳＣｅｌｌＩｎｄｅｘ＝３のエントリを追加する。ここで、図９（Ｃ）に示すＳＣｅｌｌ情報において、ＳＣｅｌｌＩｎｄｅｘ＝３に対応するエントリには、旧ＰＣｅｌｌについての情報が格納されているとする。
【０１０８】
上述したように、実施の形態２においては、無線リンク障害発生後に再開された通信において利用される主たる無線信号（ＰＣＣ）が、接続の切断前にｅＮＢ１００−１との間で送受信されていた副たる無線信号（ＳＣＣ）である場合に、移動局２００およびｅＮＢ１００−１の各々は、保持している設定情報に含まれる情報のうち、再開された通信における主たる無線信号（ＰＣＣ）に対応する情報を切断前における主たる無線信号に対応する情報に置換することで新たな設定情報を生成する。このように、実施の形態２によれば、無線リンク障害が発生した場合であっても、キャリアアグリゲーション（ＣＡ）に用いるＳＣｅｌｌを規定するためのＳＣｅｌｌ＿Ｃｏｎｆｉｇｕｒａｔｉｏｎのすべてを再設定する必要がないため、当該再設定に要する無線リソースおよび処理時間を無駄に消費することがない。
【０１０９】
＜８．実施の形態３＞
次に、（３）ＰＣｅｌｌでの接続が切断された後、当該ＰＣｅｌｌが属するｅＮＢとは異なるｅＮＢに属するＳＣｅｌｌに再接続する場合（ＳＣｅｌｌは新たなＰＣｅｌｌとなる）の手続きについて説明する。この場合にも、移動局２００およびＰＣｅｌｌを提供するｅＮＢ１００は、いずれも、無線リンク障害（ＲＬＦ）が発生したとしても、その直前に保持していたＳＣｅｌｌ＿Ｃｏｎｆｉｇｕｒａｔｉｏｎをリリースすることなく、保持し続ける。すなわち、移動局２００および移動局２００との間で主たる無線信号（ＰＣＣ）を送受信するＮＢ１００−１の各々は、当該主たる無線信号を利用した通信が切断された後であっても、設定情報であるＳＣｅｌｌ＿Ｃｏｎｆｉｇｕｒａｔｉｏｎを保持する。
【０１１０】
その後、移動局２００が異なるｅＮＢ１００に属する旧ＳＣｅｌｌに再接続すると、当該旧ＳＣｅｌｌは、移動局２００から見れば新たなＰＣｅｌｌとなる。一方、旧ＰＣｅｌｌは、移動局２００から見れば新たなＳＣｅｌｌとなり得る。
【０１１１】
そこで、ＳＣｅｌｌ＿Ｃｏｎｆｉｇｕｒａｔｉｏｎをリリースせずに保持しておき、再接続後に、当該ＳＣｅｌｌ＿Ｃｏｎｆｉｇｕｒａｔｉｏｎに含まれる旧ＳＣｅｌｌ（新たなＰＣｅｌｌ）の情報のみを無効化し、さらに、旧ＰＣｅｌｌ（新たなＳＣｅｌｌ）の情報で置換することで、ＳＣｅｌｌ＿Ｃｏｎｆｉｇｕｒａｔｉｏｎを再使用できる。すなわち、無線リンク障害の発生前に保持していたＳＣｅｌｌ＿Ｃｏｎｆｉｇｕｒａｔｉｏｎをリリースせずに、変更が必要なセルに関する情報のみを更新した上で再使用することで、キャリアアグリゲーションをより迅速に再開できる。すなわち、移動局２００およびｅＮＢ１００−１の各々は、主たる無線信号（ＰＣＣ）を利用した通信が再開された後、保持している設定情報を利用して、キャリアアグリゲーションを再開する。
【０１１２】
なお、再接続先のＳＣｅｌｌが属するｅＮＢが必要な情報を保持していない場合には、旧ＰＣｅｌｌが属するｅＮＢからそれらの情報を取得する。すなわち、旧接続先のｅＮＢと新たな接続先のｅＮＢとの間で、必要な情報交換が行なわれる。
【０１１３】
図１０は、実施の形態３に従うキャリアアグリゲーションによる通信中に無線リンク障害（ＲＬＦ）が発生した場合の手続きを示すシーケンス図である。
【０１１４】
図１０を参照して、まず、移動局２００は、ｅＮＢ１００−１が提供するＰＣｅｌｌおよびｅＮＢ１００−２が提供するＳＣｅｌｌで通信中であるとする（シーケンスＳＱ１００Ｂ）。このとき、キャリアアグリゲーション（ＣＡ）に用いるＳＣｅｌｌを規定するためのＳＣｅｌｌ＿Ｃｏｎｆｉｇｕｒａｔｉｏｎが設定されているとする。すなわち、移動局２００、ｅＮＢ１００−１およびｅＮＢ１００−２は、それぞれＳＣｅｌｌ＿Ｃｏｎｆｉｇｕｒａｔｉｏｎを保持している。
【０１１５】
この状態で、伝搬路におけるノイズなどによってＰＣＣに無線リンク障害（ＲＬＦ）が発生したとする（シーケンスＳＱ１０２）。そして、この無線リンク障害によって、ｅＮＢ１００−１と移動局２００との間の接続が切断されたとする。
【０１１６】
この接続の切断が発生しても、移動局２００は、自局が保持しているＳＣｅｌｌ＿Ｃｏｎｆｉｇｕｒａｔｉｏｎ設定をリリースせずに保持する（シーケンスＳＱ１０４）。また、ｅＮＢ１００−１についても、自局が保持しているＳＣｅｌｌ＿Ｃｏｎｆｉｇｕｒａｔｉｏｎ設定をリリースせずに保持する（シーケンスＳＱ１０６）。
【０１１７】
続いて、移動局２００は、切断された接続を回復するために、ＲＲＣ＿Ｃｏｎｎｅｃｔｉｏｎ＿Ｒｅｅｓｔａｂｌｉｓｈｍｅｎｔ手続きを開始する。すなわち、移動局２００は、周期的または所定のイベント毎に、ＲＲＣ＿Ｃｏｎｎｅｃｔｉｏｎ＿Ｒｅｅｓｔａｂｌｉｓｈｍｅｎｔ＿Ｒｅｑｕｅｓｔをいずれかのセルへ送信する（シーケンスＳＱ１０８Ｂ）。
【０１１８】
図１０の例では、ＲＲＣ＿Ｃｏｎｎｅｃｔｉｏｎ＿Ｒｅｅｓｔａｂｌｉｓｈｍｅｎｔ＿ＲｅｑｕｅｓｔがｅＮＢ１００−２に属するＳＣｅｌｌ（ＳＣＣ）で受信された場合を示す。すなわち、ｅＮＢ１００−２がＳＣＣでＲＲＣ＿Ｃｏｎｎｅｃｔｉｏｎ＿Ｒｅｅｓｔａｂｌｉｓｈｍｅｎｔ＿Ｒｅｑｕｅｓｔを受信すると、ｅＮＢ１００−２は、再接続に必要な処理を実行する。より具体的には、ＲＲＣ＿Ｃｏｎｎｅｃｔｉｏｎ＿Ｒｅｅｓｔａｂｌｉｓｈｍｅｎｔ＿Ｒｅｑｕｅｓｔに含まれる切断前の情報に基づいて、ｅＮＢ１００−２は、旧ＰＣｅｌｌの情報およびＳＣｅｌｌ＿Ｃｏｎｆｉｇｕｒａｔｉｏｎ設定を自局で保持しているか否かを判断する。そして、ｅＮＢ１００−２が旧ＰＣｅｌｌの情報およびＳＣｅｌｌ＿Ｃｏｎｆｉｇｕｒａｔｉｏｎ設定を保持していない場合には、ｅＮＢ１００−２は、旧ＰＣｅｌｌの情報およびＳＣｅｌｌ＿Ｃｏｎｆｉｇｕｒａｔｉｏｎ設定を旧ＰＣｅｌｌが属するｅＮＢ１００−１へ問合せる（シーケンスＳＱ１３０）。この問合せに応答して、ｅＮＢ１００−１は、自局が保持している旧ＰＣｅｌｌの情報およびＳＣｅｌｌ＿Ｃｏｎｆｉｇｕｒａｔｉｏｎ設定をｅＮＢ１００−２へ報告する。
【０１１９】
ｅＮＢ１００−２が旧ＰＣｅｌｌの情報およびＳＣｅｌｌ＿Ｃｏｎｆｉｇｕｒａｔｉｏｎ設定を自局で保持していれば、シーケンスＳＱ１３０およびＳＱ１３２の処理はスキップされる。
【０１２０】
その後、ｅＮＢ１００−２は、ＲＲＣ＿Ｃｏｎｎｅｃｔｉｏｎ＿Ｒｅｅｓｔａｂｌｉｓｈｍｅｎｔを移動局２００へ通知する（シーケンスＳＱ１１０Ｂ）。移動局２００は、ｅＮＢ１００−２に属するＳＣｅｌｌ（ＳＣＣ）からのＲＲＣ＿Ｃｏｎｎｅｃｔｉｏｎ＿Ｒｅｅｓｔａｂｌｉｓｈｍｅｎｔを受信すると、必要な設定を行なった後、ＲＲＣ＿Ｃｏｎｎｅｃｔｉｏｎ＿Ｒｅｅｓｔａｂｌｉｓｈｍｅｎｔ手続きの完了を通知するためのＲＲＣ＿Ｃｏｎｎｅｃｔｉｏｎ＿Ｒｅｅｓｔａｂｌｉｓｈｍｅｎｔ＿ＣｏｍｐｌｅｔｅをｅＮＢ１００−２へ送信する（シーケンスＳＱ１１２Ｂ）。すると、移動局２００は、ｅＮＢ１００−２が提供する旧ＳＣｅｌｌを新たなＰＣｅｌｌとしてｅＮＢ１００−２と通信を再開する（シーケンスＳＱ１１８Ｂ）。
【０１２１】
このようにキャリアアグリゲーションをより迅速に再開するために、移動局２００およびｅＮＢ１００−２は、無線リンク障害の発生前においてＳＣｅｌｌであったセルを用いて接続を回復できたと判断し、ＳＣｅｌｌ＿Ｃｏｎｆｉｇｕｒａｔｉｏｎに含まれる旧ＳＣｅｌｌの情報を旧ＰＣｅｌｌの情報に置換する（シーケンスＳＱ１１４Ｂ，ＳＱ１１６Ｂ）。そして、移動局２００は、接続した新たなＰＣｅｌｌに加えて、この情報を置換した後のＳＣｅｌｌ＿Ｃｏｎｆｉｇｕｒａｔｉｏｎによって指定されたＳＣｅｌｌを用いて、キャリアアグリゲーション（ＣＡ）で通信を再開する（シーケンスＳＱ１１８Ｂ）。
【０１２２】
一方、旧ＰＣｅｌｌが属するｅＮＢ１００−１は、保持しているＳＣｅｌｌ＿Ｃｏｎｆｉｇｕｒａｔｉｏｎをリリースする（シーケンスＳＱ１２０）。なお、ｅＮＢ１００−１が提供する旧ＰＣｅｌｌを新たなＳＣｅｌｌとしてキャリアアグリゲーションを継続する場合には、ｅＮＢ１００−１が保持するＳＣｅｌｌ＿Ｃｏｎｆｉｇｕｒａｔｉｏｎのうち、新たなＰＣｅｌｌに対応するエントリのみをリリースするようにしてもよい。
【０１２３】
このように、異なるｅＮＢ１００がそれぞれ提供するセルの間で、ＰＣｅｌｌとなるセルとＳＣｅｌｌとなるセルとが交換されるので、必要に応じてｅＮＢ１００の間で情報を交換した上で、保持しているＳＣｅｌｌ＿Ｃｏｎｆｉｇｕｒａｔｉｏｎの必要部分のみを変更して再使用する。
【０１２４】
上述のシーケンスＳＱ１１４ＢおよびＳＱ１１６Ｂにおける、ＳＣｅｌｌ＿Ｃｏｎｆｉｇｕｒａｔｉｏｎに含まれる旧ＳＣｅｌｌの情報を旧ＰＣｅｌｌの情報に置換する処理例については、上述の実施の形態２において、図９を参照して説明したので、詳細な説明は繰返さない。
【０１２５】
上述したように、実施の形態３においては、無線リンク障害発生後に再開された通信において利用される主たる無線信号（ＰＣＣ）が、接続の切断前にｅＮＢ１００−１とは異なるｅＮＢ１００−２との間で送受信されていた副たる無線信号（ＳＣＣ）である場合に、移動局２００およびｅＮＢ１００−２の各々は、保持している設定情報に含まれる情報のうち、再開された通信における主たる無線信号に対応する情報を切断前における主たる無線信号（ＰＣＣ）に対応する情報に置換することで新たな設定情報を生成する。なお、ｅＮＢ１００−２は、接続の切断前における主たる無線信号（ＰＣＣ）に対応する情報および設定情報をｅＮＢ１００−１から取得する場合もある。このように、実施の形態３によれば、無線リンク障害が発生した場合であっても、キャリアアグリゲーション（ＣＡ）に用いるＳＣｅｌｌを規定するためのＳＣｅｌｌ＿Ｃｏｎｆｉｇｕｒａｔｉｏｎのすべてを再設定する必要がないため、当該再設定に要する無線リソースおよび処理時間を無駄に消費することがない。
【０１２６】
＜９．実施の形態４＞
次に、（４）ＰＣｅｌｌでの接続が切断された後、当該ＰＣｅｌｌが属するｅＮＢと同一のｅＮＢに属するが、ＰＣｅｌｌまたはＳＣｅｌｌとは異なるセル（サービングセル以外のセル）に再接続する場合の手続きについて説明する。この場合にも、移動局２００およびＰＣｅｌｌを提供するｅＮＢ１００は、いずれも、無線リンク障害（ＲＬＦ）が発生したとしても、その直前に保持していたＳＣｅｌｌ＿Ｃｏｎｆｉｇｕｒａｔｉｏｎをリリースすることなく、保持し続ける。すなわち、移動局２００および移動局２００との間で主たる無線信号（ＰＣＣ）を送受信するＮＢ１００−１の各々は、当該主たる無線信号を利用した通信が切断された後であっても、設定情報であるＳＣｅｌｌ＿Ｃｏｎｆｉｇｕｒａｔｉｏｎを保持する。
【０１２７】
その後、移動局２００が同一のｅＮＢ１００に属するサービングセル以外のセルに再接続すると、当該セルは、移動局２００から見れば新たなＰＣｅｌｌとなる。一方、旧ＰＣｅｌｌは、移動局２００から見れば新たなＳＣｅｌｌとなり得る。
【０１２８】
そこで、ＳＣｅｌｌ＿Ｃｏｎｆｉｇｕｒａｔｉｏｎをリリースせずに保持しておき、再接続後に、当該ＳＣｅｌｌ＿Ｃｏｎｆｉｇｕｒａｔｉｏｎにおいて、旧ＰＣｅｌｌの情報を新たなＳＣｅｌｌの情報として追加または更新することで、ＳＣｅｌｌ＿Ｃｏｎｆｉｇｕｒａｔｉｏｎを再使用する。すなわち、無線リンク障害の発生前に保持していたＳＣｅｌｌ＿Ｃｏｎｆｉｇｕｒａｔｉｏｎをリリースせずに、変更が必要なセルに関する情報のみを更新した上で再使用することで、キャリアアグリゲーションをより迅速に再開できる。すなわち、移動局２００およびｅＮＢ１００−１の各々は、主たる無線信号（ＰＣＣ）を利用した通信が再開された後、保持している設定情報を利用して、キャリアアグリゲーションを再開する。
【０１２９】
図１１は、実施の形態４に従うキャリアアグリゲーションによる通信中に無線リンク障害（ＲＬＦ）が発生した場合の手続きを示すシーケンス図である。
【０１３０】
図１１を参照して、まず、移動局２００は、ｅＮＢ１００−１が提供するＰＣｅｌｌでｅＮＢ１００−１と通信中であるとする（シーケンスＳＱ１００）。このとき、キャリアアグリゲーション（ＣＡ）に用いるＳＣｅｌｌを規定するためのＳＣｅｌｌ＿Ｃｏｎｆｉｇｕｒａｔｉｏｎが設定されているとする。すなわち、移動局２００およびｅＮＢ１００−１は、それぞれＳＣｅｌｌ＿Ｃｏｎｆｉｇｕｒａｔｉｏｎを保持している。
【０１３１】
この状態で、伝搬路におけるノイズなどによってＰＣＣに無線リンク障害（ＲＬＦ）が発生したとする（シーケンスＳＱ１０２）。そして、この無線リンク障害によって、ｅＮＢ１００−１と移動局２００との間の接続が切断されたとする。
【０１３２】
この接続の切断が発生しても、移動局２００は、自局が保持しているＳＣｅｌｌ＿Ｃｏｎｆｉｇｕｒａｔｉｏｎ設定をリリースせずに保持する（シーケンスＳＱ１０４）。また、ｅＮＢ１００−１についても、自局が保持しているＳＣｅｌｌ＿Ｃｏｎｆｉｇｕｒａｔｉｏｎ設定をリリースせずに保持する（シーケンスＳＱ１０６）。
【０１３３】
続いて、移動局２００は、切断された接続を回復するために、ＲＲＣ＿Ｃｏｎｎｅｃｔｉｏｎ＿Ｒｅｅｓｔａｂｌｉｓｈｍｅｎｔ手続きを開始する。すなわち、移動局２００は、周期的または所定のイベント毎に、ＲＲＣ＿Ｃｏｎｎｅｃｔｉｏｎ＿Ｒｅｅｓｔａｂｌｉｓｈｍｅｎｔ＿Ｒｅｑｕｅｓｔをいずれかのセルへ送信する（シーケンスＳＱ１０８Ｃ）。
【０１３４】
図１１の例では、ＲＲＣ＿Ｃｏｎｎｅｃｔｉｏｎ＿Ｒｅｅｓｔａｂｌｉｓｈｍｅｎｔ＿ＲｅｑｕｅｓｔがｅＮＢ１００−１に属するＰＣｅｌｌまたはＳＣｅｌｌとは異なるセル（サービングセル以外のセル）で受信された場合を示す。すなわち、ｅＮＢ１００−１のサービングセル以外のセルがＲＲＣ＿Ｃｏｎｎｅｃｔｉｏｎ＿Ｒｅｅｓｔａｂｌｉｓｈｍｅｎｔ＿Ｒｅｑｕｅｓｔを受信すると、ｅＮＢ１００−１は、ＲＲＣ＿Ｃｏｎｎｅｃｔｉｏｎ＿Ｒｅｅｓｔａｂｌｉｓｈｍｅｎｔを移動局２００へ通知する（シーケンスＳＱ１１０Ｃ）。
【０１３５】
移動局２００は、ｅＮＢ１００−１に属するサービングセル以外のセルからのＲＲＣ＿Ｃｏｎｎｅｃｔｉｏｎ＿Ｒｅｅｓｔａｂｌｉｓｈｍｅｎｔを受信すると、必要な設定を行なった後、ＲＲＣ＿Ｃｏｎｎｅｃｔｉｏｎ＿Ｒｅｅｓｔａｂｌｉｓｈｍｅｎｔ手続きの完了を通知するためのＲＲＣ＿Ｃｏｎｎｅｃｔｉｏｎ＿Ｒｅｅｓｔａｂｌｉｓｈｍｅｎｔ＿ＣｏｍｐｌｅｔｅをｅＮＢ１００−１へ送信する（シーケンスＳＱ１１２Ｃ）。すると、移動局２００は、ｅＮＢ１００−１が提供するサービングセル以外のセルを新たなＰＣｅｌｌとしてｅＮＢ１００−１と通信を再開する（シーケンスＳＱ１１８Ｃ）。なお、ｅＮＢ１００−１が提供する旧ＰＣｅｌｌを新たなＳＣｅｌｌとしてキャリアアグリゲーションを実施することもできる。
【０１３６】
このようにキャリアアグリゲーションをより迅速に再開するために、移動局２００およびｅＮＢ１００−１は、無線リンク障害の発生前においてサービングセルではなかったセルを用いて接続を回復できたと判断する。そして、移動局２００およびｅＮＢ１００−１は、保持したＳＣｅｌｌ＿Ｃｏｎｆｉｇｕｒａｔｉｏｎにおいて、旧ＰＣｅｌｌの情報を新たなＳＣｅｌｌの情報として追加または更新することで、ＳＣｅｌｌ＿Ｃｏｎｆｉｇｕｒａｔｉｏｎを再使用する（シーケンスＳＱ１１４Ｃ，ＳＱ１１６Ｃ）。このとき、移動局２００およびｅＮＢ１００−１は、保持したＳＣｅｌｌ＿Ｃｏｎｆｉｇｕｒａｔｉｏｎに情報を追加するための空きスペースがあるか否かを判断し、空きスペースがある場合には、旧ＰＣｅｌｌの情報を追加する。一方、空きスペースがない場合には、保持したＳＣｅｌｌ＿Ｃｏｎｆｉｇｕｒａｔｉｏｎの含まれるＳＣｅｌｌの１つの情報を旧ＰＣｅｌｌの情報に置換する。あるいは、空きスペースがない場合には、旧ＰＣｅｌｌの情報を無視して、無線リンク障害の発生前のＳＣｅｌｌ＿Ｃｏｎｆｉｇｕｒａｔｉｏｎ設定をそのまま保持してもよい。
【０１３７】
そして、移動局２００は、接続した新たなＰＣｅｌｌに加えて、新たなＳＣｅｌｌの情報として追加または更新された後のＳＣｅｌｌ＿Ｃｏｎｆｉｇｕｒａｔｉｏｎを用いて、キャリアアグリゲーション（ＣＡ）で通信を再開する（シーケンスＳＱ１１８Ｃ）。このように、同一のｅＮＢ１００が提供する複数のセルの間で、ＰＣｅｌｌおよびＳＣｅｌｌとなるセルが変更されるので、このセルの機能の変更に応じて、保持しているＳＣｅｌｌ＿Ｃｏｎｆｉｇｕｒａｔｉｏｎの必要部分のみを変更した上で、再使用する。
【０１３８】
次に、シーケンスＳＱ１１４ＣおよびＳＱ１１６Ｃにおける、保持したＳＣｅｌｌ＿Ｃｏｎｆｉｇｕｒａｔｉｏｎにおいて、旧ＰＣｅｌｌの情報を新たなＳＣｅｌｌの情報として追加または更新する処理例について、説明する。
【０１３９】
図１２は、実施の形態４に従うＳＣｅｌｌ＿Ｃｏｎｆｉｇｕｒａｔｉｏｎにおける新たなＳＣｅｌｌの情報の追加処理／更新処理を説明するための図である。図１２には、記憶部１２０（図３）および記憶部２２０（図４）に保持されるＳＣｅｌｌ＿Ｃｏｎｆｉｇｕｒａｔｉｏｎとして、ＳＣｅｌｌとして最大４セル分の情報を格納できる構成例を示す。この構成例としては、上述の図９と同様である。
【０１４０】
図１２（Ａ）には、ＳＣｅｌｌ＿Ｃｏｎｆｉｇｕｒａｔｉｏｎに、新たなＳＣｅｌｌの情報を追加するための空きスペースがある場合を示す。この状態で、新たなＳＣｅｌｌ（旧ＰＣｅｌｌ）の情報がＳＣｅｌｌＩｎｄｅｘ＝３のエントリとして追加される例を示す。より具体的には、図１２（Ａ）には、無線リンク障害の発生前に保持されたＳＣｅｌｌ＿Ｃｏｎｆｉｇｕｒａｔｉｏｎには、３つのセルが登録されており、あと１つのセルを追加登録できる例を示す。この場合には、図１２（Ｃ）に示すように、ＳＣｅｌｌＩｎｄｅｘ＝３に対応するエントリとして、旧ＰＣｅｌｌについての情報が追加されるとともに、ＳＣｅｌｌ＿Ｃｏｎｆｉｇｕｒａｔｉｏｎに、その追加された旧ＰＣｅｌｌについての情報を指定するためのＳＣｅｌｌＩｎｄｅｘ＝３のエントリが追加される。
【０１４１】
一方、図１３（Ｂ）には、ＳＣｅｌｌ＿Ｃｏｎｆｉｇｕｒａｔｉｏｎに、新たなＳＣｅｌｌの情報を追加するための空きスペースがない場合を示す。この状態では、予め定められたルールに従って最も有用性の低いＳＣｅｌｌについての情報を特定し、それを削除した上で、新たなＳＣｅｌｌ（旧ＰＣｅｌｌ）の情報が追加される。このような最も有用性の低いＳＣｅｌｌを決定するルールとしては、通信品質などに基づいて判断する方法が考えられる。なお、このようなルールは、移動局２００とｅＮＢ１００との間で共通化しておき、更新後のＳＣｅｌｌ＿Ｃｏｎｆｉｇｕｒａｔｉｏｎの内容が互いに矛盾しないようにする。また、キャリアアグリゲーションを実施するためには、ＰＣｅｌｌ（ＰＣＣ）おおよびすべてのＳＣｅｌｌ（ＳＣＣ）が互いに異なる周波数で運用される必要があるため、移動局２００が再接続したセル（新たなＰＣｅｌｌ）に対応するコンポーネントキャリアはＰＣＣと同じ周波数を有するＳＣｅｌｌの情報は、ＳＣｅｌｌ＿Ｃｏｎｆｉｇｕｒａｔｉｏｎから削除される。
【０１４２】
図１３（Ｂ）に示す例では、ＳＣｅｌｌ＿ＣｏｎｆｉｇｕｒａｔｉｏｎのＳＣｅｌｌＩｎｄｅｘ＝４のエントリが削除された上で、旧ＰＣｅｌｌについての情報を指定するためのＳＣｅｌｌＩｎｄｅｘ＝３のエントリが追加される例を示す。このように、ＳＣｅｌｌ＿Ｃｏｎｆｉｇｕｒａｔｉｏｎに空きスペースがない場合には、それに含まれるＳＣｅｌｌの１つの情報が削除された上で、新たなＳＣｅｌｌ（旧ＰＣｅｌｌ）の情報が追加される。すなわち、ＳＣｅｌｌ＿Ｃｏｎｆｉｇｕｒａｔｉｏｎの一部が新たなＳＣｅｌｌ（旧ＰＣｅｌｌ）の情報に更新される。
【０１４３】
なお、ＳＣｅｌｌ＿Ｃｏｎｆｉｇｕｒａｔｉｏｎに空きスペースがない場合であって、新たなＳＣｅｌｌ（旧ＰＣｅｌｌ）の優先度が相対的に低い場合には、当該新たなＳＣｅｌｌ（旧ＰＣｅｌｌ）の情報を追加もしくは更新しない、すなわち、ＳＣｅｌｌ＿Ｃｏｎｆｉｇｕｒａｔｉｏｎの内容をそのまま維持してもよい。
【０１４４】
上述したように、実施の形態４においては、無線リンク障害発生後に再開された通信において利用される主たる無線信号（ＰＣＣ）が、接続の切断前にｅＮＢ１００−１との間で送受信されていた主たる無線信号（ＰＣＣ）および副たる無線信号（ＳＣＣ）のいずれでもない、ｅＮＢ１００−１が送受信する他の無線信号である場合に、移動局２００およびｅＮＢ１００−１の各々は、保持している設定情報に、切断前における主たる無線信号（ＰＣＣ）に対応する情報を追加することで新たな設定情報を生成する。このように、実施の形態４によれば、無線リンク障害が発生した場合であっても、キャリアアグリゲーション（ＣＡ）に用いるＳＣｅｌｌを規定するためのＳＣｅｌｌ＿Ｃｏｎｆｉｇｕｒａｔｉｏｎのすべてを再設定する必要がないため、当該再設定に要する無線リソースおよび処理時間を無駄に消費することがない。
【０１４５】
＜１０．実施の形態５＞
次に、（５）ＰＣｅｌｌでの接続が切断された後、当該ＰＣｅｌｌが属するｅＮＢとは異なるｅＮＢに属し、かつ、ＳＣｅｌｌとは異なるセル（サービングセル以外のセル）に再接続する場合の手続きについて説明する。この場合にも、移動局２００およびＰＣｅｌｌを提供するｅＮＢ１００は、いずれも、無線リンク障害（ＲＬＦ）が発生したとしても、その直前に保持していたＳＣｅｌｌ＿Ｃｏｎｆｉｇｕｒａｔｉｏｎをリリースすることなく、保持し続ける。すなわち、移動局２００および移動局２００との間で主たる無線信号（ＰＣＣ）を送受信するＮＢ１００−１の各々は、当該主たる無線信号を利用した通信が切断された後であっても、設定情報であるＳＣｅｌｌ＿Ｃｏｎｆｉｇｕｒａｔｉｏｎを保持する。
【０１４６】
その後、移動局２００が異なるｅＮＢ１００に属するサービングセル以外のセルに再接続すると、当該セルは、移動局２００から見れば新たなＰＣｅｌｌとなる。一方、旧ＰＣｅｌｌは、移動局２００から見れば新たなＳＣｅｌｌとなり得る。
【０１４７】
そこで、ＳＣｅｌｌ＿Ｃｏｎｆｉｇｕｒａｔｉｏｎをリリースせずに保持しておき、再接続後に、当該ＳＣｅｌｌ＿Ｃｏｎｆｉｇｕｒａｔｉｏｎにおいて、旧ＰＣｅｌｌの情報を新たなＳＣｅｌｌの情報として追加または更新することで、ＳＣｅｌｌ＿Ｃｏｎｆｉｇｕｒａｔｉｏｎを再使用する。すなわち、無線リンク障害の発生前に保持していたＳＣｅｌｌ＿Ｃｏｎｆｉｇｕｒａｔｉｏｎをリリースせずに、変更が必要なセルに関する情報のみを更新した上で再使用することで、キャリアアグリゲーションをより迅速に再開できる。すなわち、移動局２００およびｅＮＢ１００−１の各々は、主たる無線信号（ＰＣＣ）を利用した通信が再開された後、保持している設定情報を利用して、キャリアアグリゲーションを再開する。
【０１４８】
なお、再接続先のＳＣｅｌｌが属するｅＮＢが必要な情報を保持していない場合には、旧ＰＣｅｌｌが属するｅＮＢからそれらの情報を取得する。すなわち、旧接続先のｅＮＢと新たな接続先のｅＮＢとの間で、必要な情報交換が行なわれる。
【０１４９】
図１３は、実施の形態５に従うキャリアアグリゲーションによる通信中に無線リンク障害（ＲＬＦ）が発生した場合の手続きを示すシーケンス図である。
【０１５０】
図１１を参照して、まず、移動局２００は、ｅＮＢ１００−１が提供するＰＣｅｌｌでｅＮＢ１００−１と通信中であるとする（シーケンスＳＱ１００）。このとき、キャリアアグリゲーション（ＣＡ）に用いるＳＣｅｌｌを規定するためのＳＣｅｌｌ＿Ｃｏｎｆｉｇｕｒａｔｉｏｎが設定されているとする。すなわち、移動局２００およびｅＮＢ１００−１は、それぞれＳＣｅｌｌ＿Ｃｏｎｆｉｇｕｒａｔｉｏｎを保持している。
【０１５１】
この状態で、伝搬路におけるノイズなどによってＰＣＣに無線リンク障害（ＲＬＦ）が発生したとする（シーケンスＳＱ１０２）。そして、この無線リンク障害によって、ｅＮＢ１００−１と移動局２００との間の接続が切断されたとする。
【０１５２】
この接続の切断が発生しても、移動局２００は、自局が保持しているＳＣｅｌｌ＿Ｃｏｎｆｉｇｕｒａｔｉｏｎ設定をリリースせずに保持する（シーケンスＳＱ１０４）。また、ｅＮＢ１００−１についても、自局が保持しているＳＣｅｌｌ＿Ｃｏｎｆｉｇｕｒａｔｉｏｎ設定をリリースせずに保持する（シーケンスＳＱ１０６）。
【０１５３】
続いて、移動局２００は、切断された接続を回復するために、ＲＲＣ＿Ｃｏｎｎｅｃｔｉｏｎ＿Ｒｅｅｓｔａｂｌｉｓｈｍｅｎｔ手続きを開始する。すなわち、移動局２００は、周期的または所定のイベント毎に、ＲＲＣ＿Ｃｏｎｎｅｃｔｉｏｎ＿Ｒｅｅｓｔａｂｌｉｓｈｍｅｎｔ＿Ｒｅｑｕｅｓｔをいずれかのセルへ送信する（シーケンスＳＱ１０８Ｄ）。
【０１５４】
図１３の例では、ＲＲＣ＿Ｃｏｎｎｅｃｔｉｏｎ＿Ｒｅｅｓｔａｂｌｉｓｈｍｅｎｔ＿ＲｅｑｕｅｓｔがｅＮＢ１００−１とは異なるｅＮＢ１００−２に属し、かつ、ＳＣｅｌｌとは異なるセル（サービングセル以外のセル）で受信された場合を示す。すなわち、ｅＮＢ１００−２のサービングセル以外のセルがＲＲＣ＿Ｃｏｎｎｅｃｔｉｏｎ＿Ｒｅｅｓｔａｂｌｉｓｈｍｅｎｔ＿Ｒｅｑｕｅｓｔを受信すると、ｅＮＢ１００−２は、ＲＲＣ＿Ｃｏｎｎｅｃｔｉｏｎ＿Ｒｅｅｓｔａｂｌｉｓｈｍｅｎｔを移動局２００へ通知する（シーケンスＳＱ１１０Ｄ）。
【０１５５】
移動局２００は、ｅＮＢ１００−２に属するサービングセル以外のセルからのＲＲＣ＿Ｃｏｎｎｅｃｔｉｏｎ＿Ｒｅｅｓｔａｂｌｉｓｈｍｅｎｔを受信すると、必要な設定を行なった後、ＲＲＣ＿Ｃｏｎｎｅｃｔｉｏｎ＿Ｒｅｅｓｔａｂｌｉｓｈｍｅｎｔ手続きの完了を通知するためのＲＲＣ＿Ｃｏｎｎｅｃｔｉｏｎ＿Ｒｅｅｓｔａｂｌｉｓｈｍｅｎｔ＿ＣｏｍｐｌｅｔｅをｅＮＢ１００−２へ送信する（シーケンスＳＱ１１２Ｄ）。すると、移動局２００は、ｅＮＢ１００−２が提供するサービングセル以外のセルを新たなＰＣｅｌｌとしてｅＮＢ１００−２と通信を再開する（シーケンスＳＱ１１８Ｄ）。なお、ｅＮＢ１００−１が提供する旧ＰＣｅｌｌを新たなＳＣｅｌｌとしてキャリアアグリゲーションを実施することもできる。
【０１５６】
このようにキャリアアグリゲーションをより迅速に再開するために、移動局２００およびｅＮＢ１００−１は、無線リンク障害の発生前においてサービングセルではなかったセルを用いて接続を回復できたと判断する。そして、移動局２００およびｅＮＢ１００−２は、保持したＳＣｅｌｌ＿Ｃｏｎｆｉｇｕｒａｔｉｏｎにおいて、旧ＰＣｅｌｌの情報を新たなＳＣｅｌｌの情報として追加または更新することで、ＳＣｅｌｌ＿Ｃｏｎｆｉｇｕｒａｔｉｏｎを再使用する（シーケンスＳＱ１１４Ｄ，ＳＱ１１６Ｄ）。このとき、移動局２００およびｅＮＢ１００−２は、保持したＳＣｅｌｌ＿Ｃｏｎｆｉｇｕｒａｔｉｏｎに情報を追加するための空きスペースがあるか否かを判断し、空きスペースがある場合には、旧ＰＣｅｌｌの情報を追加する。一方、空きスペースがない場合には、保持したＳＣｅｌｌ＿Ｃｏｎｆｉｇｕｒａｔｉｏｎの含まれるＳＣｅｌｌの１つの情報を旧ＰＣｅｌｌの情報に置換する。あるいは、空きスペースがない場合には、旧ＰＣｅｌｌの情報を無視して、無線リンク障害の発生前のＳＣｅｌｌ＿Ｃｏｎｆｉｇｕｒａｔｉｏｎ設定をそのまま保持してもよい。
【０１５７】
そして、移動局２００は、接続した新たなＰＣｅｌｌに加えて、新たなＳＣｅｌｌの情報として追加または更新された後のＳＣｅｌｌ＿Ｃｏｎｆｉｇｕｒａｔｉｏｎを用いて、キャリアアグリゲーション（ＣＡ）で通信を再開する（シーケンスＳＱ１１８Ｄ）。このように、異なるｅＮＢ１００がそれぞれ提供するセルの間で、ＰＣｅｌｌおよびＳＣｅｌｌとなるセルが変更されるので、このセルの機能の変更に応じて、保持しているＳＣｅｌｌ＿Ｃｏｎｆｉｇｕｒａｔｉｏｎの必要部分のみを変更した上で、再使用する。
【０１５８】
上述のシーケンスＳＱ１１４ＤおよびＳＱ１１６Ｄにおける、保持したＳＣｅｌｌ＿Ｃｏｎｆｉｇｕｒａｔｉｏｎにおいて、旧ＰＣｅｌｌの情報を新たなＳＣｅｌｌの情報として追加または更新する処理例については、上述の実施の形態４において、図１２を参照して説明したので、詳細な説明は繰返さない。
【０１５９】
上述したように、実施の形態５においては、無線リンク障害発生後に再開された通信において利用される主たる無線信号（ＰＣＣ）が、接続の切断前にｅＮＢ１００−１との間で送受信されていた主たる無線信号（ＰＣＣ）および副たる無線信号（ＳＣＣ）のいずれでもない、ｅＮＢ１００−１とは異なるｅＮＢ１００−２が送受信する他の無線信号である場合に、移動局２００およびｅＮＢ１００−２の各々は、保持している設定情報に、切断前における主たる無線信号（ＰＣＣ）に対応する情報を追加することで新たな設定情報を生成する。なお、ｅＮＢ１００−２は、接続の切断前における主たる無線信号（ＰＣＣ）に対応する情報および設定情報をｅＮＢ１００−１から取得する場合もある。このように、実施の形態５によれば、無線リンク障害が発生した場合であっても、キャリアアグリゲーション（ＣＡ）に用いるＳＣｅｌｌを規定するためのＳＣｅｌｌ＿Ｃｏｎｆｉｇｕｒａｔｉｏｎのすべてを再設定する必要がないため、当該再設定に要する無線リソースおよび処理時間を無駄に消費することがない。
【０１６０】
＜１１．変形例＞
上述の実施の形態においては、無線リンク障害（ＲＬＦ）が発生した場合に、移動局２００とｅＮＢ１００との間の接続を一括して切断する形態を示したが、上りリンクおよび下りリンクをそれぞれ独立して制御するようにしてもよい。特に、キャリアアグリゲーションにおいては、上りリンクおよび下りリンクにそれぞれ異なるコンポーネントキャリアを割当てることも可能であり、このような形態を採用した場合には、それぞれのリンクを独立して制御することが好適である。
【０１６１】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１６２】
１  通信システム、１００  基地局（ｅＮＢ）、１０２  制御部、１０４，２０４  中央処理部、１０５，２０５  キャリアアグリゲーションロジック、１０６  上位ネットワークインターフェイス（Ｉ／Ｆ）、１０８  制御インターフェイス（Ｉ／Ｆ）、１１０，２０２  信号処理部、１１２，２１２  送信部、１１４，２１４  送信アンテナ、１１６，２１６  受信部、１１８，２１８  受信アンテナ、１２０，２２０  記憶部、２００  移動局（ＵＥ）、２２２  制御インターフェイス（Ｉ／Ｆ）、２５０  筐体、２５２  表示部、２５４  マイク、２５６  スピーカ、２５８  入力部、２６０  ユニット、３００  ＭＭＥ、４００  コアネットワーク、Ｃ１１Ａ，Ｃ１２Ａ，Ｃ１３Ａ，Ｃ１１Ｂ，Ｃ１２Ｂ，Ｃ１３Ｂ，Ｃ２１Ａ，Ｃ２２Ａ，Ｃ２３Ａ，Ｃ２１Ｂ，Ｃ２２Ｂ，Ｃ２３Ｂ，Ｃ３１Ａ，Ｃ３２Ａ，Ｃ３３Ａ，Ｃ３１Ｂ，Ｃ３２Ｂ，Ｃ３３Ｂ  セルエリア。
【図１】
2013051549.tif 000003
【図２】
2013051549.tif 000004
【図３】
2013051549.tif 000005
【図４】
2013051549.tif 000006
【図５】
2013051549.tif 000007
【図６】
2013051549.tif 000008
【図７】
2013051549.tif 000009
【図８】
2013051549.tif 000010
【図９】
2013051549.tif 000011
【図１０】
2013051549.tif 000012
【図１１】
2013051549.tif 000013
【図１２】
2013051549.tif 000014
【図１３】
2013051549.tif 000015